(57)【要約】  本発明は、タッチスクリーン及びフラットパネルディスプレイに関し、特にタッチフラットパネルディスプレイに関する。本発明は、スクリーンと、駆動回路と、などからなるタッチフラットパネルディスプレイであって、タッチ励起エネルギーを供給するタッチ励起源は、駆動回路の最終段の駆動ユニットの電源端に接続され、最終段の駆動ユニットの出力端はスクリーンの電極線に接続され、タッチ回路は、最終段の駆動ユニットの電源端または出力端に流れるタッチ信号の変化を検出することにより、駆動ユニットに接続されるスクリーンの電極線がタッチされたか否かを判定するタッチフラットパネルディスプレイを開示する。本発明にかかるタッチ回路と表示駆動回路及びスクリーンとの回路構成関係によれば、タッチ回路と表示駆動回路及びスクリーン電極との接続が簡単に達成可能になるだけでなく、表示駆動回路内部の分布容量によるタッチ信号への影響も回避できる。【選択図】図１６
2012527663.tif 000002
【特許請求の範囲】
【請求項１】
スクリーンと、駆動回路と、などからなり、さらに、駆動回路には、表示駆動回路と、タッチ回路と、などが備えられ、駆動回路の各出力端がそれぞれスクリーンの各電極線に接続されるタッチフラットパネルディスプレイにおいて、
タッチ励起エネルギーを供給するタッチ励起源は、駆動回路の最終段の駆動ユニットの電源端に接続され、最終段の駆動ユニットは、少なくとも１つの能動素子を有し、その出力端がスクリーンの電極線に接続され、タッチ回路は、最終段の駆動ユニットの電源端または出力端に流れるタッチ信号の変化を検出することにより、駆動ユニットに接続されるスクリーンの電極線がタッチされたか否かを判定することを特徴とするタッチフラットパネルディスプレイ。
【請求項２】
前記タッチ励起源に接続される駆動回路における駆動ユニットの電源端は、駆動ユニットの正電源端であってもよく、駆動ユニットの負電源端であってもよいことを特徴とする請求項１に記載のタッチフラットパネルディスプレイ。
【請求項３】
前記スクリーンの各電極線に接続される駆動回路における最終段の駆動ユニットの電源端は、それぞれ表示／タッチ信号ゲート出力回路を介して、表示駆動エネルギーを供給する表示駆動源及びタッチ励起エネルギーを供給するタッチ励起源に接続され、表示／タッチ信号ゲート出力回路は、駆動ユニットの電源端を表示駆動源に連通して、駆動回路により、接続されるスクリーンの電極線へ表示駆動信号を送信し、または、駆動ユニットの電源端をタッチ励起源に連通して、駆動回路により、接続されるスクリーンの電極線へタッチ信号を送信することを特徴とする請求項１に記載のタッチフラットパネルディスプレイ。
【請求項４】
タッチ回路によりタッチ信号を検出する検出点は、タッチ励起源と表示／タッチ信号ゲート出力回路との間に設けられ、または、表示／タッチ信号ゲート出力回路と駆動ユニット電源端との間に設けられ、または、複数段のゲート回路の間に設けられ、または、駆動ユニットの出力端に設けられることを特徴とする請求項３に記載のタッチフラットパネルディスプレイ。
【請求項５】
前記スクリーンのそれぞれの電極線に接続される駆動回路における異なる駆動ユニットの電源端は、それぞれ表示／タッチ信号ローディング回路ユニットを介して、表示駆動エネルギーを供給する表示駆動源及びタッチ励起エネルギーを供給するタッチ励起源に接続され、駆動回路は、接続される後段回路へ、さらにスクリーンの電極線まで、表示駆動信号及びタッチ信号を同時に送信することを特徴とする請求項１に記載のタッチフラットパネルディスプレイ。
【請求項６】
前記表示／タッチ信号ローディング回路は、信号ゲート回路を介してまたは直接にタッチ励起源に接続されていることを特徴とする請求項５に記載のタッチフラットパネルディスプレイ。
【請求項７】
タッチ回路によりタッチ信号を検出する検出点は、タッチ励起源と表示／タッチ信号ローディング回路との間に設けられ、または、信号ゲート回路と表示／タッチ信号ローディング回路との間に設けられ、または、表示／タッチ信号ローディング回路と駆動ユニット電源端との間に設けられ、または、駆動ユニットの出力端に設けられていることを特徴とする請求項６に記載のタッチフラットパネルディスプレイ。
【請求項８】
前記タッチ励起エネルギーを供給するタッチ励起源と表示駆動エネルギーを供給する表示駆動源とは同一の電源を共用し、駆動回路における駆動ユニットの電源端は、表示駆動及びタッチ励起の共用源に接続され、駆動回路は、接続される後段回路へ、さらにスクリーンの電極線まで、同時にまたは時分割的に表示駆動信号及びタッチ信号を送信することを特徴とする請求項１に記載のタッチフラットパネルディスプレイ。
【請求項９】
前記スクリーンの各電極線に接続される駆動回路における各駆動ユニットの電源端は、表示／タッチ信号ゲート出力回路を介して、または直接に、表示駆動及びタッチ励起の共用源に接続されていることを特徴とする請求項８に記載のタッチフラットパネルディスプレイ。
【請求項１０】
タッチ回路によりタッチ信号を検出する検出点は、表示駆動及びタッチ励起の共用源とゲート回路との間に設けられ、または、表示／タッチ信号ゲート出力回路と駆動ユニットの電源端との間に設けられ、または、表示駆動及びタッチ励起の共用源と駆動ユニット電源端との間に設けられ、または、駆動ユニットの出力端に設けられることを特徴とする請求項９に記載のタッチフラットパネルディスプレイ。
【請求項１１】
前記表示駆動及びタッチ励起の共用源は、駆動回路の他の部分に接続されていない独立電源であり、または電源出力端における駆動回路の他の部分に接続されていない独立出力端であることを特徴とする請求項１に記載のタッチフラットパネルディスプレイ。
【請求項１２】
前記表示／タッチ信号ゲート回路は、少なくとも１つの能動素子を有する１段または複数段のゲート回路であることを特徴とする請求項３、６、９に記載のタッチフラットパネルディスプレイ。
【請求項１３】
前記タッチ励起源は、ＤＣ電源であってもよく、ＡＣ電源であってもよく、または、ＡＣ・ＤＣ複合電源であってもよいことを特徴とする請求項１に記載のタッチフラットパネルディスプレイ。
【請求項１４】
前記タッチ励起源がＤＣ電源である場合に、駆動回路における最終段の駆動ユニットの出力端は、入力端のＡＣ信号に伴って交番するタッチ信号をスクリーンの電極線に出力することを特徴とする請求項１３に記載のタッチフラットパネルディスプレイ。
【請求項１５】
前記タッチ励起源がＡＣ電源である場合に、駆動回路における最終段の駆動ユニットの出力端は、入力端によりゲートされる、電源端からのＡＣタッチ信号をスクリーンの電極線に出力することを特徴とする請求項１３に記載のタッチフラットパネルディスプレイ。
【請求項１６】
前記タッチ回路のタッチ信号サンプリング回路は、受動素子、または能動素子、または複数の素子からなる回路ユニットであることを特徴とする請求項１に記載のタッチフラットパネルディスプレイ。
【請求項１７】
前記駆動回路の最終段の駆動ユニット出力端は、スクリーンの電極線へ出力するタッチ信号の周波数が５０ＫＨｚ以上であることを特徴とする請求項１に記載のタッチフラットパネルディスプレイ。
【請求項１８】
前記タッチ回路は、タッチ励起源に接続される駆動ユニットの電源端に流れるタッチ信号を検出する場合に、電流信号及び電圧信号のうちの少なくとも一方が検出されることを特徴とする請求項１に記載のタッチフラットパネルディスプレイ。
【請求項１９】
前記タッチ回路は、タッチ励起源に接続される駆動ユニットの電源端に流れるタッチ信号を検出する場合に、振幅、時間、位相、周波数信号及びパルスのうちの少なくとも一方が検出されることを特徴とする請求項１に記載のタッチフラットパネルディスプレイ。
【発明の詳細な説明】
【技術分野】
【０００１】
本発明は、タッチスクリーン及びフラットパネルディスプレイに関し、特にタッチフラットパネルディスプレイに関する。
【背景技術】
【０００２】
「タッチ型フラットパネルディスプレイ」という中国特許出願２００６１００９４８１４１号の明細書には、アナログスイッチにより、スクリーン電極が表示駆動信号を送信したり、タッチ信号を送信・検知したりするようにして、表示駆動及びタッチ検出の場合にスクリーン電極を時分割多重化し、スクリーン電極を表示駆動にもタッチ検出にも用いる、タッチ回路とスクリーン電極との接続方式が開示されている。また、「タッチ機能を有するフラットパネルディスプレイ」という中国特許出願２００６１０１０６５５８３号の明細書には、表示／タッチ信号ローディング回路により、スクリーン電極が表示駆動信号を送信するとともにタッチ信号を送信・検知するようにし、表示駆動及びタッチ検知の場合にスクリーン電極を同時に共用し、スクリーン電極を表示駆動にもタッチ検出にも用いる、もう１つのタッチ回路とスクリーン電極との接続方式が開示されている。
【０００３】
スクリーン電極によりタッチの検出及び位置決めを行うことは、実質的に、タッチ物とスクリーン電極との間での結合容量から漏れた微小な電気信号を検出することである。タッチ回路と表示駆動回路とが接続されており、タッチ物とスクリーン電極との間での結合容量が非常に微小であるため、タッチ検出は、表示駆動回路内部の分布容量及び寄生容量、タッチ回路と表示駆動回路との接続回路における分布容量に非常に影響され易い。タッチ回路と表示駆動回路との合理的な接続方案、合理的なサンプリングポイントの設置は、分布容量及び寄生容量による干渉を排除し、スクリーン電極によるタッチの検出及び位置決めを達成させ、フラットパネルディスプレイとタッチスクリーンとを一体にしてフラットパネルディスプレイをタッチフラットパネルディスプレイにすることに、非常に重要である。
【０００４】
そして、タッチ回路と表示駆動回路との合理的な接続は、タッチフラットパネルディスプレイを実現するためのコストを抑えることができ、遣り甲斐のあることでもある。
【発明の概要】
【発明が解決しようとする課題】
【０００５】
本発明は、タッチ回路と表示駆動回路及びスクリーン電極の回路構成関係を形成し、タッチ励起と表示駆動及びスクリーンの電極線の簡単且つ合理的な接続、及び効果的なタッチ検出を図ることを目的とする。
【課題を解決するための手段】
【０００６】
本発明の技術的課題は、以下の技術的手段により解決される。
【０００７】
スクリーンと、駆動回路と、などからなり、さらに、駆動回路には、表示駆動回路と、タッチ回路と、などが備えられ、駆動回路の各出力端がそれぞれスクリーンの各電極線に接続されるタッチフラットパネルディスプレイであって、タッチ励起エネルギーを供給するタッチ励起源は、駆動回路の最終段の駆動ユニットの電源端に接続され、最終段の駆動ユニットは、少なくとも１つの能動素子を有し、その出力端がスクリーンの電極線に接続され、タッチ回路は、最終段の駆動ユニットの電源端または出力端に流れるタッチ信号の変化を検出することにより、駆動ユニットに接続されるスクリーンの電極線がタッチされたか否かを判定するタッチフラットパネルディスプレイである。
【０００８】
さらに、本発明の技術的課題は、以下の技術手段により解決される。
【０００９】
前記タッチ励起源に接続される駆動回路における駆動ユニットの電源端は、駆動ユニットの正電源端であってもよく、駆動ユニットの負電源端であってもよい。
【００１０】
前記スクリーンの各電極線に接続される駆動回路における最終段の駆動ユニットの電源端は、それぞれ表示／タッチ信号ゲート出力回路を介して、表示駆動エネルギーを供給する表示駆動源及びタッチ励起エネルギーを供給するタッチ励起源に接続され、表示／タッチ信号ゲート出力回路は、駆動ユニットの電源端を、駆動回路が接続されるスクリーンの電極線に表示駆動信号を送信するように表示駆動源に連通し、または、駆動回路が接続されるスクリーンの電極線にタッチ信号を送信するようにタッチ励起源に連通する。
【００１１】
タッチ回路によりタッチ信号を検出する検出点は、タッチ励起源と表示／タッチ信号ゲート出力回路との間に設けられ、または、表示／タッチ信号ゲート出力回路と駆動ユニット電源端との間に設けられ、または、複数段のゲート回路の間に設けられ、または、駆動ユニットの出力端に設けられる。
【００１２】
前記スクリーンのそれぞれの電極線に接続される駆動回路における異なる駆動ユニットの電源端は、それぞれ表示／タッチ信号ローディング回路ユニットを介して、表示駆動エネルギーを供給する表示駆動源及びタッチ励起エネルギーを供給するタッチ励起源に接続され、駆動回路は接続される後段回路へ、さらにスクリーンの電極線まで、表示駆動信号及びタッチ信号を同時に送信する。
【００１３】
前記表示／タッチ信号ローディング回路は、ゲート回路を介してまたは直接に、タッチ励起源に接続される。
【００１４】
タッチ回路によりタッチ信号を検出する検出点は、タッチ励起源と表示／タッチ信号ローディング回路との間に設けられ、または、ゲート回路と表示／タッチ信号ローディング回路との間に設けられ、または、表示／タッチ信号ローディング回路と駆動ユニット電源端との間に設けられ、または、駆動ユニットの出力端に設けられる。
【００１５】
前記タッチ励起エネルギーを供給するタッチ励起源、及び表示駆動エネルギーを供給する表示駆動源は、同一の電源を共用し、駆動回路における駆動ユニットの電源端は、表示駆動及びタッチ励起の共用源に接続され、駆動回路は接続される後段回路へ、さらにスクリーンの電極線まで、同時にまたは時分割的に表示駆動信号及びタッチ信号を送信する。
【００１６】
前記スクリーンの各電極線に接続される駆動回路における各駆動ユニットの電源端は、表示／タッチ信号ゲート出力回路を介して、または直接に、表示駆動及びタッチ励起の共用源に接続される。
【００１７】
タッチ回路によりタッチ信号を検出する検出点は、表示駆動及びタッチ励起の共用源とゲート回路との間に設けられ、または、表示／タッチ信号ゲート出力回路と駆動ユニットの電源端との間に設けられ、または、表示駆動及びタッチ励起の共用源と駆動ユニットの電源端との間に設けられ、または、駆動ユニットの出力端に設けられる。
【００１８】
前記表示駆動及びタッチ励起の共用源は、駆動回路の他の部分に接続されていない独立電源であり、または電源出力端における駆動回路の他の部分に接続されていない独立出力端である。
【００１９】
前記表示／タッチ信号ゲート出力回路は、少なくとも１つの能動素子を有する１段または複数段のゲート回路である。
【００２０】
前記タッチ励起源は、ＤＣ電源であってもよく、ＡＣ電源であってもよく、または、ＡＣ・ＤＣ複合電源であってもよい。
【００２１】
前記タッチ信号を検出する検出点は、タッチ信号の変化を検出するための電位点または素子である。
【００２２】
前記ゲート回路は、アナログスイッチであってもよく、ゲートとして機能する他の回路であってもよい。
【００２３】
前記タッチ励起源がＤＣ電源である場合に、駆動回路における最終段の駆動ユニットの出力端は、入力端のＡＣ信号に伴って交番するタッチ信号を、スクリーンの電極線へ出力する。
【００２４】
前記タッチ励起源がＡＣ電源である場合に、駆動回路における最終段の駆動ユニットの出力端は、入力端によりゲートされた、電源端からのＡＣタッチ信号を、スクリーンの電極線へ出力する。
【００２５】
前記タッチ回路のタッチ信号サンプリング回路は、受動素子であり、または能動素子であり、または複数の素子からなる回路ユニットである。
【００２６】
前記駆動回路の最終段の駆動ユニット出力端は、スクリーンの電極線へ出力するタッチ信号の周波数が５０ＫＨｚ以上である。
【００２７】
前記タッチ回路はタッチ励起源に接続される駆動ユニットの電源端に流れるタッチ信号を検出する場合に、電流信号及び電圧信号のうちの少なくとも一方が検出される。
【００２８】
前記タッチ回路はタッチ励起源に接続される駆動ユニット電源端に流れるタッチ信号を検出する場合に、振幅、時間、位相、周波数信号及びパルスのうちの少なくとも一方が検出される。
【発明の効果】
【００２９】
本発明は、従来技術と比べると、下記の有益な効果を有する。
【００３０】
本発明にかかる手段は、とても具体的なタッチ回路と表示駆動回路及びスクリーン電極の回路構成関係により、タッチ回路と表示駆動回路及びスクリーン電極との接続を適当にし、さらに、表示駆動回路における選択及び出力回路の部分を活用することにより、タッチ回路と表示駆動回路及びスクリーン電極との接続を簡単に達成可能にする。また、タッチ回路と表示駆動回路との簡単な接続方式によれば、タッチ回路と表示駆動回路との接続回路における分布容量をできるだけ低減させ、タッチ回路がタッチ物とスクリーン電極との間の結合容量を検出する場合に漏れた電気信号に対する分布容量の干渉を防止することができる。
【００３１】
本発明にかかるタッチ回路と表示駆動回路との回路接続方式において、タッチ励起源は、表示駆動回路における表示駆動エネルギーを供給するポート、即ち、駆動回路の最終段の駆動ユニットの電源端から表示駆動回路に接続され、スクリーン電極へタッチ励起信号を供給し、ひいては、タッチ励起及び表示駆動が同一のエネルギー源を共用することで、駆動回路における前段回路内部の分布容量及び寄生容量によるタッチ検出に対する影響を低減することができる。合理的な検出点の設置も、駆動回路内部の分布容量及び寄生容量によるタッチ検出に対する影響を低減させる効果的な方法である。そして、かかる接続方式によれば、スクリーンのそれぞれの電極線を同時にタッチ励起源に連通することができるとともに、スクリーンのそれぞれの電極線に流れるタッチ信号をそれぞれ検出することができる。合理的なタッチされた電極線の判定条件を設定することにより、本発明のタッチフラットパネルディスプレイは、同時マルチタッチに対応可能になる。
【００３２】
パソコンや携帯電話などに用いられるフラットパネルディスプレイは、スクリーン電極が非常に多いので、表示駆動及びタッチ検出の際にスクリーン電極を時分割多重化する場合に、タッチフラットパネルディスプレイに表示のフリッカが発生しないように、タッチ検出の時間を非常に短くする必要があり、すなわち、まず、タッチ励起源が表示パネルにおいて安定したタッチ信号を十分に早く形成するようにする必要があるが、タッチ励起源が駆動回路の最終段の駆動ユニットの電源端から表示駆動回路に接続してスクリーン電極へタッチ励起信号を供給し、最終段の駆動ユニットの駆動能力を利用して速やかに表示パネルにおいて安定したタッチ信号を形成することは、簡単かつ効果的な方法である。
【００３３】
かかるタッチ回路と表示駆動回路との回路接続方式は、表示駆動回路内部の回路ユニットを十分に利用しているので、タッチフラットパネルディスプレイが低コストで実現されるようになる。
【図面の簡単な説明】
【００３４】
【図１】本発明の実施形態１の電気的接続を模式的に示す図である。
【図２】本発明の実施形態２の電気的接続を模式的に示す図である。
【図３】本発明の実施形態３の電気的接続を模式的に示す図である。
【図４】本発明の実施形態４の電気的接続を模式的に示す図である。
【図５】本発明の実施形態５の電気的接続を模式的に示す図である。
【図６】本発明の実施形態６の電気的接続を模式的に示す図である。
【図７】本発明の実施形態７の電気的接続を模式的に示す図である。
【図８】本発明の実施形態８の電気的接続を模式的に示す図である。
【図９】本発明の実施形態９の電気的接続を模式的に示す図である。
【図１０】本発明の実施形態１０の電気的接続を模式的に示す図である。
【図１１】本発明の実施形態１１の電気的接続を模式的に示す図である。
【図１２】本発明の実施形態１２の電気的接続を模式的に示す図である。
【図１３】本発明の実施形態１３の電気的接続を模式的に示す図である。
【図１４】本発明の実施形態１４の電気的接続を模式的に示す図である。
【図１５】本発明の実施形態１５の電気的接続を模式的に示す図である。
【図１６】本発明の実施形態１６の電気的接続を模式的に示す図である。
【図１７】本発明の実施形態１５の電気的接続を模式的に示す図である。
【図１８】本発明の実施形態１５の電気的接続を模式的に示す図である。
【図１９】本発明の実施形態１５の電気的接続を模式的に示す図である。
【発明を実施するための形態】
【００３５】
フラットパネルディスプレイには、種々のものがある。液晶ディスプレイ（ＬＣＤ）を例として、例えば、ツイストネマティック（Ｔｗｉｓｔ  Ｎｅｍａｔｉｃ；ＴＮと略称する）型液晶ディスプレイ（ＴＮ−ＬＣＤ）やスーパーツイストネマティック（Ｓｕｐｅｒ  Ｔｗｉｓｔ  Ｎｅｍａｔｉｃ；ＳＴＮと略称する）型液晶ディスプレイ（ＳＴＮ−ＬＣＤ）のような受動型液晶ディスプレイは、一般的に、下ガラス基板に表示走査電極線または表示信号電極線（即ち、行電極線）を備え、上ガラス基板に表示信号電極線または表示走査電極線（即ち、列電極線）を備え、その交差部分が表示画素である。例えば、薄膜トランジスタ（Ｔｈｉｎ  Ｆｉｌｍ  Ｔｒａｎｓｉｓｔｏｒ；ＴＦＴと略称する）液晶ディスプレイ（ＴＦＴ−ＬＣＤ）のような能動型液晶ディスプレイは、一般的に、一方のガラス基板にあるＴＦＴアレイ及び表示画素アレイと、ＴＦＴのゲートに接続される表示走査電極線（即ち、行電極線）と、ＴＦＴのソースまたはドレインに接続される表示信号電極線（即ち、列電極線）と、他方のガラス基板にあるカラーフィルター及び共通電極とを備える。さらに、プラズマディスプレイ（ＰＤＰ）、能動型及び受動型有機発光ダイオードディスプレイ（ＯＬＥＤ）などの他のフラットパネルディスプレイも、同様に、表示走査電極線及び表示信号電極線（即ち、行列電極線）を有する。
【００３６】
本発明にかかるタッチフラットパネルディスプレイは、スクリーンと、駆動回路と、などからなり、さらに、駆動回路には、表示駆動回路と、タッチ回路と、などが含まれ、駆動回路の各出力端がそれぞれスクリーンの各本の電極線に接続されている。また、表示駆動回路に接続されるタッチ回路により、フラットパネルディスプレイの行列電極線に対してタッチ検出を行い、表示駆動及びタッチ検出の場合にスクリーン電極を多重化することで、フラットパネルディスプレイに正常表示と共にタッチ検出を実現させる。
【００３７】
実施形態１
図１に示すタッチフラットパネルディスプレイ１００は、スクリーン１１０と、駆動回路１２０とを備える。駆動回路１２０は、制御回路１２１と、表示駆動エネルギーを供給する表示駆動源１２２と、タッチ励起エネルギーを供給するタッチ励起源１２３と、表示ゲート出力回路１２４と、タッチ回路１２５と、表示／タッチ信号ゲート出力回路１２６と、などを備える。スクリーン１１０は、スクリーンの行電極１１１及び列電極１１２などを有する。表示ゲート出力回路１２４の最終段の駆動ユニット１２４１、１２４２、…、１２４Ｎ、即ち、駆動回路１２０の最終段の駆動ユニットは、その入力端が前段回路１２４０に接続され、その出力端がスクリーンの行電極１１１及び列電極１１２の各電極線に接続され、また、その電源端１２４１０、１２４２０、…、１２４Ｎ０がそれぞれ表示／タッチ信号ゲート出力回路１２６の各出力端に接続され、表示／タッチ信号ゲート出力回路１２６の一方の入力端１２６１は表示駆動源１２２に接続され、表示／タッチ信号ゲート出力回路１２６の他方の入力端１２６２はタッチ回路１２５のタッチ信号サンプリングユニット１２５１を介してタッチ励起源１２３に接続され、表示／タッチ信号ゲート出力回路１２６の各出力端は入力端１２６１または入力端１２６２に連通される。タッチ信号サンプリングユニット１２５１は、サンプリングユニットにおけるタッチ信号の変化を検出するタッチ回路１２５に接続される。制御回路１２１は、表示／タッチ信号ゲート出力回路１２６により、最終段の駆動ユニット１２４１、１２４２、…、１２４Ｎの電源端１２４１０、１２４２０、…、１２４Ｎ０を、表示駆動源１２２に連通し、接続されるスクリーンの行電極１１１及び列電極１１２の各電極線へ表示駆動信号を送信したり、タッチ励起源１２３に連通し、接続されるスクリーンの行電極１１１及び列電極１１２の各電極線へタッチ信号を送信したりする。図１における各本の接続線は、単線による接続だけでなく、複数の線による接続関係も示す。
【００３８】
前記タッチフラットパネルディスプレイは、以下のように作動する。
【００３９】
表示駆動の時期では、駆動回路１２０における表示／タッチ信号ゲート出力回路１２６により、最終段の駆動ユニット１２４１、１２４２、…、１２４Ｎの電源端１２４１０、１２４２０、…、１２４Ｎ０を表示駆動源１２２に連通し、制御回路１２１により、表示ゲート出力回路１２４が、接続されるスクリーンの行電極１１１及び列電極１１２へ表示駆動信号を送信し、スクリーン１１０は表示駆動状態になる。
【００４０】
タッチ検出の時期では、制御回路１２１は、表示／タッチ信号ゲート出力回路１２６により、最終段の駆動ユニット１２４１、１２４２、…、１２４Ｎの電源端１２４１０、１２４２０、…、１２４Ｎ０をそれぞれタッチ信号サンプリングユニット１２５１を介してタッチ励起源１２３に連通し、表示ゲート出力回路１２４によりスクリーンの行電極１１１及び列電極１１２の各電極線へそれぞれタッチ信号を送信する。タッチ回路１２５は、タッチ信号サンプリングユニット１２５１におけるタッチ信号の変化を検出することにより、スクリーン１１０がタッチされたか否か、どの行列電極線の位置がタッチされたかを判定し、スクリーン１１０はタッチ検出状態になる。検出されたタッチされた行電極線とタッチされた列電極線との交差点から、タッチされたポイントの位置が決定される。
【００４１】
タッチフラットパネルディスプレイ１００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００４２】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００４３】
スクリーン電極を、表示駆動回路に連通して表示駆動信号を送信したり、タッチ回路に連通してタッチ信号を送信したりする表示／タッチ信号ゲート出力回路は、アナログマルチプレクサであってもよく、ゲートとして機能する他の回路であってもよい。
【００４４】
タッチ信号サンプリングユニットは、単一の抵抗、キャパシタンスやインダクタンスの受動素子であってもよく、複数種の受動素子の組み合わせであってもよく、単一の能動素子であってもよく、または、能動素子を備える回路ユニットであってもよい。
【００４５】
実施形態２
図２に示すタッチフラットパネルディスプレイ２００は、スクリーン２１０と、駆動回路２２０とを備える。駆動回路２２０は、制御回路２２１と、表示駆動エネルギーを供給する表示駆動源２２２と、タッチ励起エネルギーを供給するタッチ励起源２２３と、表示ゲート出力回路２２４と、タッチ回路２２５と、表示／タッチ信号ゲート出力回路２２６と、などを備える。スクリーン２１０は、スクリーンの行電極２１１及び列電極２１２などを有する。表示ゲート出力回路２２４の最終段の駆動ユニット２２４１、２２４２、…、２２４Ｎ、即ち、駆動回路２２０の最終段の駆動ユニットは、その入力端が前段回路２２４０に接続され、その出力端がスクリーンの行電極２１１及び列電極２１２の各電極線に接続され、その電源端２２４１０、２２４２０、…、２２４Ｎ０がそれぞれ表示／タッチ信号ゲート出力回路２２６の各出力端に接続され、また、表示／タッチ信号ゲート出力回路２２６の一方の入力端２２６１は表示駆動源２２２に接続され、表示／タッチ信号ゲート出力回路２２６の他方の入力端２２６２はタッチ励起源２２３に接続され、表示／タッチ信号ゲート出力回路２２６の各出力端は、入力端２２６１、または入力端２２６２に連通される。表示／タッチ信号ゲート出力回路２２６の２２６２の端とタッチ励起源２２３との間には、タッチ回路２２５の検出点２２５１が設けられ、タッチ回路２２５に接続されている。タッチ回路２２５は検出点における電位の変化を検出し、電位測定の参照端点は、駆動回路２２０の共通グランド端に設置されてもよく、駆動回路２２０のある特定の参照ポイントに設置されてもよい。制御回路２２１は、表示／タッチ信号ゲート出力回路２２６により最終段の駆動ユニット２２４１、２２４２、…、２２４Ｎの電源端２２４１０、２２４２０、…、２２４Ｎ０を、表示駆動源２２２に連通して、接続されるスクリーンの行電極２１１及び列電極２１２の各電極線へ表示駆動信号を送信したり、タッチ励起源２２３に連通して、接続されるスクリーンの行電極２１１及び列電極２１２の各電極線へタッチ信号を送信したりする。図２における各本の接続線は、単線による接続だけでなく、複数の線による接続関係も示す。
【００４６】
前記タッチフラットパネルディスプレイは、以下のように作動する。
【００４７】
表示駆動の時期では、駆動回路２２０における表示／タッチ信号ゲート出力回路２２６は、最終段の駆動ユニット２２４１、２２４２、…、２２４Ｎの電源端２２４１０、２２４２０、…、２２４Ｎ０を表示駆動源２２２に連通し、制御回路２２１は表示ゲート出力回路２２４により、接続されるスクリーンの行電極２１１及び列電極２１２へ表示駆動信号を送信し、スクリーン２１０は表示駆動状態になる。
【００４８】
タッチ検出の時期では、制御回路２２１は、表示／タッチ信号ゲート出力回路２２６により、最終段の駆動ユニット２２４１、２２４２、…、２２４Ｎの電源端２２４１０、２２４２０、…、２２４Ｎ０をそれぞれタッチ回路２２５の検出点２２５１を介してタッチ励起源２２３に連通し、表示ゲート出力回路２２４によりスクリーンの行電極２１１及び列電極２１２の各電極線へそれぞれタッチ信号を送信する。タッチ回路２２５は、検出点２２５１におけるタッチ信号の変化を検出することにより、スクリーン２１０がタッチされたか否か、どの行列電極線の位置がタッチされたかを判定し、スクリーン２１０はタッチ検出状態になる。検出されたタッチされた行電極線とタッチされた列電極線との交差点から、タッチされたポイントの位置が決定される。
【００４９】
タッチフラットパネルディスプレイ２００を表示駆動の時期とタッチ検出の時期との間に繰り返して切り替えさせ、表示駆動及びタッチ検出の場合にスクリーン電極を時分割多重化して、表示もタッチもできるタッチフラットパネルディスプレイを形成する。
【００５０】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００５１】
スクリーン電極を、表示駆動回路に連通して表示駆動信号を送信したり、タッチ回路に連通してタッチ信号を送信したりする表示／タッチ信号ゲート出力回路は、アナログマルチプレクサであってもよく、ゲートとして機能する他の回路であってもよい。
【００５２】
実施形態３
図３に示すタッチフラットパネルディスプレイ３００は、スクリーン３１０と、駆動回路３２０とを備える。駆動回路３２０は、制御回路３２１と、表示駆動エネルギーを供給する表示駆動源３２２と、タッチ励起エネルギーを供給するタッチ励起源３２３と、表示ゲート出力回路３２４と、タッチ回路３２５と、表示／タッチ信号ゲート出力回路３２６と、などを備える。スクリーン３１０は、スクリーンの行電極３１１及び列電極３１２などを有する。表示ゲート出力回路３２４の最終段の駆動ユニット３２４１、３２４２、…、３２４Ｎ、即ち、駆動回路３２０の最終段の駆動ユニットは、その入力端が前段回路３２４０に接続され、その出力端がスクリーンの行電極３１１及び列電極３１２の各電極線に接続され、また、その電源端３２４１０、３２４２０、…、３２４Ｎ０は、それぞれ表示／タッチ信号ゲート出力回路３２６の各出力端に接続され、表示／タッチ信号ゲート出力回路３２６の一方の入力端３２６１は表示駆動源３２２に接続され、表示／タッチ信号ゲート出力回路３２６の他方の入力端３２６２はタッチ励起源３２３に接続され、表示／タッチ信号ゲート出力回路３２６の各出力端は、入力端３２６１または入力端３２６２に接続される。表示ゲート出力回路３２４の最終段の駆動ユニット３２４１、３２４２、…、３２４Ｎのそれぞれの出力端には、タッチ回路３２５の検出点３２５１、３２５２、…、３２５Ｎが設けられて、タッチ回路３２５に接続されている。タッチ回路３２５は、検出点における電位の変化を検出し、電位測定の参照端点は、タッチ励起源３２３の出力端に設けられてもよく、駆動回路３２０の共通グランド端に設けられてもよく、または、駆動回路３２０のある特定の参照ポイントに設けられてもよい。制御回路３２１は、表示／タッチ信号ゲート出力回路３２６により、最終段の駆動ユニット３２４１、３２４２、…、３２４Ｎの電源端３２４１０、３２４２０、…、３２４Ｎ０を、表示駆動源３２２に連通して、接続されるスクリーンの行電極３１１及び列電極３１２の各電極線へ表示駆動信号を送信したり、タッチ励起源３２３に連通して、接続されるスクリーンの行電極３１１及び列電極３１２の各電極線へタッチ信号を送信したりする。図３における各本の接続線は、単線による接続だけでなく、複数の線による接続関係も示す。
【００５３】
前記タッチフラットパネルディスプレイは、以下のように作動する。
【００５４】
表示駆動の時期では、駆動回路３２０における表示／タッチ信号ゲート出力回路３２６は、最終段の駆動ユニット３２４１、３２４２、…、３２４Ｎの電源端３２４１０、３２４２０、…、３２４Ｎ０を表示駆動源３２２に連通し、制御回路３２１は表示ゲート出力回路３２４により、接続されるスクリーンの行電極３１１及び列電極３１２へ表示駆動信号を送信し、スクリーン３１０は表示駆動状態になる。
【００５５】
タッチ検出の時期では、制御回路３２１は、表示／タッチ信号ゲート出力回路３２６により最終段の駆動ユニット３２４１、３２４２、…、３２４Ｎの電源端３２４１０、３２４２０、…、３２４Ｎ０をタッチ励起源３２３に連通して、表示ゲート出力回路３２４によりスクリーンの行電極３１１及び列電極３１２の各電極線へ同時にタッチ信号を送信する。タッチ回路３２５は、同時サンプリング又は走査サンプリングにより、各駆動ユニット３２４１、３２４２、…、３２４Ｎの出力端に設置される検出点３２５１、３２５２、…、３２５Ｎにおけるタッチ信号の変化をそれぞれ検出して、スクリーン３１０がタッチされたか否か、どの行列電極線の位置がタッチされたかを判定し、スクリーン３１０はタッチ検出状態になる。検出されたタッチされた行電極線とタッチされた列電極線との交差点から、タッチされたポイントの位置が決定される。
【００５６】
タッチフラットパネルディスプレイ３００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００５７】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００５８】
スクリーン電極を、表示駆動回路に連通して表示駆動信号を送信したり、タッチ回路に連通してタッチ信号を送信したりする表示／タッチ信号ゲート出力回路は、アナログマルチプレクサであってもよく、ゲートとして機能する他の回路であってもよい。
【００５９】
実施形態４
図４に示すタッチフラットパネルディスプレイ４００は、薄膜トランジスタ（ＴＦＴ）能動型スクリーン４１０と、駆動回路４２０とを備える。駆動回路４２０は、制御回路４２１と、表示駆動エネルギーを供給する表示駆動源４２２と、タッチ励起エネルギーを供給するタッチ励起源４２３と、表示ゲート出力回路４２４と、タッチ回路４２５と、アナログスイッチ群４２６及び４２７と、などを備える。スクリーン４１０は、スクリーンの行電極４１１、列電極４１２及び共通電極４１３などを有する。表示ゲート出力回路４２４の最終段の駆動ユニットであるオペアンプ４２４１、４２４２、…、４２４Ｎ、即ち、駆動回路４２０の最終段の駆動ユニットは、その入力端が前段回路４２４０に接続され、その出力端がスクリーンＴＦＴアレイの行電極４１１と列電極４１２の各電極線及び共通電極４１３に接続され、また、その電源端４２４１０、４２４２０、…、４２４Ｎ０がアナログスイッチ群４２６の各出力端に接続され、アナログスイッチ群４２６における各スイッチの一方の入力端が表示駆動源４２２に接続され、アナログスイッチ群４２６における各スイッチの他方の入力端がアナログスイッチ群４２７の出力端に接続され、アナログスイッチ群４２７における各スイッチの一方の入力端がタッチ回路４２５のタッチ信号サンプリング素子４２５１を介してタッチ励起源４２３に接続され、他方の入力端がタッチ励起源４２３に直接に接続されている。タッチ信号サンプリング素子４２５１は、タッチ回路４２５に接続され、タッチ回路４２５は、サンプリング素子４２５１におけるタッチ信号の変化を検出する。制御回路４２１は、アナログスイッチ群４２６及び４２７により、最終段の駆動ユニットであるオペアンプ４２４１、４２４２、…、４２４Ｎの電源端４２４１０、４２４２０、…、４２４Ｎ０を、表示駆動源４２２に接続し、接続されるスクリーンの行電極４１１と列電極４１２の各電極線及び共通電極４１３へ表示駆動信号を送信したり、タッチ励起源４２３に接続し、接続されるスクリーンの行電極４１１と列電極４１２の各電極線及び共通電極４１３へタッチ信号を送信したりする。図４における各本の接続線は、単線による接続だけでなく、複数の線による接続関係も示す。
【００６０】
前記タッチフラットパネルディスプレイは、以下のように作動する。
【００６１】
表示駆動の時期では、駆動回路４２０におけるアナログスイッチ群４２６は、最終段の駆動ユニットであるオペアンプ４２４１、４２４２、…、４２４Ｎの電源端４２４１０、４２４２０、…、４２４Ｎ０を表示駆動源４２２に接続し、制御回路４２１は、表示ゲート出力回路４２４により、接続されるスクリーン電極４１１と４１２及び共通電極４１３へ表示駆動信号を送信し、スクリーン４１０は表示駆動状態になる。
【００６２】
タッチ検出の時期では、制御回路４２１は、アナログスイッチ群４２６により、最終段の駆動ユニットであるオペアンプ４２４１、４２４２、…、４２４Ｎの電源端４２４１０、４２４２０、…、４２４Ｎ０を全てアナログスイッチ群４２７に連通し、そして、アナログスイッチ群４２７を介して、１回ごとに最終段の駆動ユニットの電源端のみを、または、１回ごとに複数の最終段の駆動ユニットの電源端を、タッチ信号サンプリング素子４２５１を介してタッチ励起源４２３に連通し、残りの最終段の駆動ユニットの電源端をタッチ励起源４２３に直接に接続し、表示ゲート出力回路４２４により、スクリーンの行電極４１１と列電極４１２の各電極線及び共通電極４１３へ同時にタッチ信号を送信する。タッチ回路４２５は、タッチ信号サンプリング素子４２５１におけるタッチ信号の変化を逐次検出することにより、スクリーン４１０がタッチされたか否か、どの行列電極線の位置がタッチされたかを判定し、スクリーン４１０はタッチ検出状態になる。検出されたタッチされた行電極線とタッチされた列電極線との交差点から、タッチされたポイントの位置が決定される。
【００６３】
タッチフラットパネルディスプレイ４００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００６４】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００６５】
タッチ信号サンプリングユニットは、単一の抵抗、キャパシタンスやインダクタンスの受動素子であってもよく、複数種の受動素子の組み合わせであってもよく、単一の能動素子であってもよく、または、能動素子を有する回路ユニットであってもよい。
【００６６】
実施形態５
図５に示すタッチフラットパネルディスプレイ５００は、薄膜トランジスタ（ＴＦＴ）能動型スクリーン５１０と、駆動回路５２０とを備える。駆動回路５２０は、制御回路５２１と、表示駆動エネルギーを供給する表示駆動源５２２と、タッチ励起エネルギーを供給するタッチ励起源５２３と、表示ゲート出力回路５２４と、タッチ回路５２５と、アナログスイッチ群５２６と、などを備える。スクリーン５１０は、スクリーンの行電極５１１、列電極５１２及び共通電極５１３などを有する。表示ゲート出力回路５２４の最終段の駆動ユニットであるオペアンプ５２４１、５２４２、…、５２４Ｎ、即ち、駆動回路５２０の最終段の駆動ユニットは、その入力端が前段回路５２４０に接続され、その出力端がスクリーンＴＦＴアレイの行電極５１１と列電極５１２の各電極線及び共通電極５１３に接続され、また、その電源端５２４１０、５２４２０、…、５２４Ｎ０がアナログスイッチ群５２６の各出力端に接続され、アナログスイッチ群５２６における各スイッチの一方の入力端が表示駆動源５２２に接続され、アナログスイッチ群５２６における各スイッチの他方の入力端がタッチ励起源５２３に接続されている。アナログスイッチ群５２６とタッチ励起源５２３との間には、それぞれオペアンプ５２４１、５２４２、…、５２４Ｎに対応するタッチ回路５２５の検出点５２５１、５２５２、…、５２５Ｎが設けられて、タッチ回路５２５に接続されている。タッチ回路５２５は、検出点における電位の変化を検出し、電位測定の参照端点は、駆動回路５２０の共通グランド端に設けられてもよく、駆動回路５２０のある特定の参照ポイントに設けられてもよい。制御回路５２１は、アナログスイッチ群５２６により、最終段の駆動ユニットであるオペアンプ５２４１、５２４２、…、５２４Ｎの電源端５２４１０、５２４２０、…、５２４Ｎ０を、表示駆動源５２２に連通して、接続されるスクリーンの行電極５１１と列電極５１２の各電極線及び共通電極５１３へ表示駆動信号を送信したり、タッチ励起源５２３に連通して、接続されるスクリーンの行電極５１１と列電極５１２の各電極線及び共通電極５１３へタッチ信号を送信したりする。図５における各本の接続線は、単線による接続だけでなく、複数の線による接続関係も示す。
【００６７】
前記タッチフラットパネルディスプレイは以下のように作動する。
【００６８】
表示駆動の時期では、駆動回路５２０におけるアナログスイッチ群５２６は、最終段の駆動ユニットであるオペアンプ５２４１、５２４２、…、５２４Ｎの電源端５２４１０、５２４２０、…、５２４Ｎ０を表示駆動源５２２に接続し、制御回路５２１は表示ゲート出力回路５２４により、接続されるスクリーンＴＦＴアレイの電極５１１と５１２及び共通電極５１３へ表示駆動信号を送信し、スクリーン５１０は表示駆動状態になる。
【００６９】
タッチ検出の時期では、制御回路５２１は、アナログスイッチ群５２６により、最終段の駆動ユニットであるオペアンプ５２４１、５２４２、…、５２４Ｎの電源端５２４１０、５２４２０、…、５２４Ｎ０を全てタッチ励起源５２３に接続し、表示ゲート出力回路５２４はスクリーンの行電極５１１と列電極５１２の各電極線及び共通電極５１３へ同時にタッチ信号を送信する。タッチ回路５２５は、同時サンプリングまたは走査サンプリングにより、アナログスイッチ群５２６とタッチ励起源５２３との間に設置される各サンプリングポイント５２５１、５２５２、…、５２５Ｎにおけるタッチ信号の変化をそれぞれ検出して、スクリーン５１０がタッチされたか否か、どの行列電極線の位置がタッチされたかを判定し、スクリーン５１０はタッチ検出状態になる。検出されたタッチされた行電極線とタッチされた列電極線との交差点から、タッチされたポイントの位置が決定される。
【００７０】
タッチフラットパネルディスプレイ５００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００７１】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００７２】
実施形態６
図６に示すタッチフラットパネルディスプレイ６００は、薄膜トランジスタ（ＴＦＴ）能動型スクリーン６１０と、駆動回路６２０とを備える。駆動回路６２０は、制御回路６２１と、表示駆動エネルギーを供給する表示駆動源６２２、タッチ励起エネルギーを供給するタッチ励起源６２３と、表示ゲート出力回路６２４と、タッチ回路６２５と、アナログスイッチ群６２６と、などを備える。スクリーン６１０は、スクリーンの行電極６１１、列電極６１２及び共通電極６１３などを有する。表示ゲート出力回路６２４の最終段の駆動ユニットであるオペアンプ６２４１、６２４２、…、６２４Ｎ、即ち、駆動回路６２０の最終段の駆動ユニットは、その入力端が前段回路６２４０に接続され、その出力端がスクリーンＴＦＴアレイの行電極６１１と列電極６１２の各電極線及び共通電極６１３に接続され、また、その電源端６２４１０、６２４２０、…、６２４Ｎ０がアナログスイッチ群６２６の出力端に接続され、アナログスイッチ群６２６の一方の入力端が表示駆動源６２２に接続され、アナログスイッチ群６２６の他方の入力端がタッチ励起源６２３に接続されている。表示ゲート出力回路６２４の最終段の駆動ユニットであるオペアンプ６２４１、６２４２、…、６２４Ｎのそれぞれの出力端には、タッチ回路６２５の検出サンプリング点６２５１、６２５２、…、６２５Ｎが設けられて、タッチ回路６２５に接続されている。タッチ回路６２５は、検出点における電位の変化を検出し、電位測定の参照端点は、タッチ励起源６２３の出力端に設けてもよく、駆動回路６２０の共通グランド端に設けられてもよく、駆動回路６２０のある特定の参照ポイントに設けられてもよい。制御回路６２１は、アナログスイッチ群６２６により、最終段の駆動ユニットであるオペアンプ６２４１、６２４２、…、６２４Ｎの電源端６２４１０、６２４２０、…、６２４Ｎ０を、表示駆動源６２２に連通し、接続されるスクリーンの行電極６１１と列電極６１２の各電極線及び共通電極６１３へ表示駆動信号を送信したり、タッチ励起源６２３に連通して、接続されるスクリーンの行電極６１１と列電極６１２の各電極線及び共通電極６１３へタッチ信号を送信したりする。図６における各本の接続線は、単線による接続だけでなく、複数の線による接続関係も示す。
【００７３】
前記タッチフラットパネルディスプレイは、以下のように作動する。
【００７４】
表示駆動の時期では、駆動回路６２０におけるアナログスイッチ群６２６は、最終段の駆動ユニットであるオペアンプ６２４１、６２４２、…、６２４Ｎの電源端６２４１０、６２４２０、…、６２４Ｎ０を表示駆動源６２２に連通し、制御回路６２１は、表示ゲート出力回路６２４により、接続されるスクリーンＴＦＴアレイの電極６１１と６１２及び共通電極６１３へ表示駆動信号を送信し、スクリーン６１０は表示駆動状態になる。
【００７５】
タッチ検出の時期では、制御回路６２１は、アナログスイッチ群６２６により、最終段の駆動ユニットであるオペアンプ６２４１、６２４２、…、６２４Ｎの電源端６２４１０、６２４２０、…、６２４Ｎ０を全てタッチ励起源６２３に連通し、表示ゲート出力回路６２４は、スクリーンの行電極６１１と列電極６１２の各電極線及び共通電極６１３へ同時にタッチ信号を送信する。タッチ回路６２５は、同時サンプリングまたは走査サンプリングにより、各オペアンプ６２４１、６２４２、…、６２４Ｎ出力端に設置されるサンプリングポイント６２５１、６２５２、…、６２５Ｎにおけるタッチ信号の変化をそれぞれ検出して、スクリーン６１０がタッチされたか否か、どの行列電極線の位置がタッチされたかを判定し、スクリーン６１０はタッチ検出状態になる。検出されたタッチされた行電極線とタッチされた列電極線との交差点から、タッチされたポイントの位置が決定される。
【００７６】
タッチフラットパネルディスプレイ６００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００７７】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００７８】
実施形態７
図７に示すタッチフラットパネルディスプレイ７００は、受動スクリーン７１０と、駆動回路７２０とを備える。駆動回路７２０は、制御回路７２１と、表示駆動エネルギーを供給する表示駆動源７２２と、タッチ励起エネルギーを供給するタッチ励起源７２３と、表示ゲート出力回路７２４と、タッチ回路７２５と、アナログスイッチ群７２６と、などを備える。スクリーン７１０は、スクリーンの行電極７１１及び列電極７１２などを有する。表示ゲート出力回路７２４の最終段の駆動ユニットであるオペアンプ７２４１、７２４２、…、７２４Ｎ、即ち、駆動回路７２０の最終段の駆動ユニットは、その入力端が前段回路７２４０に接続され、その出力端がスクリーンの行電極７１１及び列電極７１２の各電極線に接続され、その電源端７２４１０、７２４２０、…、７２４Ｎ０がアナログスイッチ群７２６の各出力端に接続され、アナログスイッチ群７２６における各スイッチの一方の入力端が表示駆動源７２２に接続され、アナログスイッチ群７２６における各スイッチの他方の入力端がそれぞれタッチ回路７２５のタッチ信号サンプリング素子７２５１、…、７２５Ｎを介してタッチ励起源７２３に接続されている。タッチ信号サンプリング素子７２５１、…、７２５Ｎの、アナログスイッチ群７２６に接続される一端には、検出点が設けられて、タッチ回路７２５に接続されている。タッチ回路７２５は、検出点における電位の変化を検出し、電位測定の参照端点は、タッチ信号サンプリング素子７２５１の他方の端点（即ち、タッチ励起源７２３の出力端）に設けられてもよく、駆動回路７２０の共通グランド端に設けられてもよく、または、駆動回路７２０のある特定の参照ポイントに設けられてもよい。制御回路７２１は、アナログスイッチ群７２６により、最終段の駆動ユニットであるオペアンプ７２４１、７２４２、…、７２４Ｎの電源端７２４１０、７２４２０、…、７２４Ｎ０を、表示駆動源７２２に連通して、接続されるスクリーンの行電極７１１及び列電極７１２の各電極線へ表示駆動信号を送信したり、タッチ励起源７２３に連通して、接続されるスクリーンの行電極７１１及び列電極７１２の各電極線へタッチ信号を送信したりする。図７における各本の接続線は、単線による接続だけでなく、複数の線による接続関係も示す。
【００７９】
前記タッチフラットパネルディスプレイは、以下のように作動する。
【００８０】
表示駆動の時期では、駆動回路７２０におけるアナログスイッチ群７２６は、最終段の駆動ユニットであるオペアンプ７２４１、７２４２、…、７２４Ｎの電源端７２４１０、７２４２０、…、７２４Ｎ０を表示駆動源７２２に連通し、制御回路７２１は、表示ゲート出力回路７２４により、接続されるスクリーンの行電極７１１及び列電極７１２へ表示駆動信号を送信し、スクリーン７１０は表示駆動状態になる。
【００８１】
タッチ検出の時期では、制御回路７２１は、アナログスイッチ群７２６により、最終段の駆動ユニットであるオペアンプ７２４１、７２４２、…、７２４Ｎの電源端７２４１０、７２４２０、…、７２４Ｎ０をそれぞれタッチ信号サンプリング素子７２５１、７２５２、…、７２５Ｎを介してタッチ励起源７２３に連通し、表示ゲート出力回路７２４は、スクリーンの行電極７１１及び列電極７１２の各電極線へ同時にタッチ信号を送信する。タッチ回路７２５は、同時サンプリングまたは走査サンプリングによりタッチ信号サンプリング素子７２５１、７２５２、…、７２５Ｎにおけるタッチ信号の変化をそれぞれ検出して、スクリーン７１０がタッチされたか否か、どの行列電極線の位置がタッチされたかを判定し、スクリーン７１０はタッチ検出状態になる。検出されたタッチされた行電極線とタッチされた列電極線との交差点から、タッチされたポイントの位置が決定される。
【００８２】
タッチフラットパネルディスプレイ７００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００８３】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００８４】
実施形態８
図８に示すタッチフラットパネルディスプレイ８００は、受動スクリーン８１０と、駆動回路８２０とを備える。駆動回路８２０は、制御回路８２１と、表示駆動エネルギーを供給する表示駆動源８２２と、タッチ励起エネルギーを供給するタッチ励起源８２３と、表示ゲート出力回路８２４と、タッチ回路８２５と、アナログスイッチ８２６からなる表示／タッチ信号ゲート出力回路と、などを備える。スクリーン８１０は、スクリーンの行電極８１１及び列電極８１２などを有する。表示ゲート出力回路８２４の最終段の駆動ユニットであるオペアンプ８２４１、８２４２、…、８２４Ｎ、即ち、駆動回路８２０の最終段の駆動ユニットは、その入力端が前段回路８２４０に接続され、その出力端がスクリーンの行電極８１１及び列電極８１２の各電極線に接続され、また、その電源端８２４１０、８２４２０、…、８２４Ｎ０がアナログスイッチ８２６の各出力端に接続され、アナログスイッチ８２６における各スイッチの一方の入力端が表示駆動源８２２に接続され、アナログスイッチ８２６における各スイッチの他方の入力端がタッチ励起源８２３に接続されている。表示ゲート出力回路８２４の最終段の駆動ユニットであるオペアンプ８２４１、８２４２、…、８２４Ｎのそれぞれの出力端には、タッチ回路８２５の検出点８２５１、８２５２、…、８２５Ｎが設けられている。タッチ回路８２５は、検出点における電位の変化を検出し、電位測定の参照端点は、タッチ励起源８２３の出力端に設けられてもよく、駆動回路８２０の共通グランド端に設けられてもよく、または、駆動回路８２０のある特定の参照ポイントに設けられてもよい。制御回路８２１は、アナログスイッチ８２６により、最終段の駆動ユニットであるオペアンプ８２４１、８２４２、…、８２４Ｎの電源端８２４１０、８２４２０、…、８２４Ｎ０を、表示駆動源８２２に連通して、接続されるスクリーンの行電極８１１及び列電極８１２の各電極線へ表示駆動信号を送信したり、タッチ励起源８２３に連通して、接続されるスクリーンの行電極８１１及び列電極８１２の各電極線へタッチ信号を送信したりする。図８における各本の接続線は、単線による接続だけでなく、複数の線による接続関係も示す。
【００８５】
前記タッチフラットパネルディスプレイは、以下のように作動する。
【００８６】
表示駆動の時期では、駆動回路８２０におけるアナログスイッチ８２６は、最終段の駆動ユニットであるオペアンプ８２４１、８２４２、…、８２４Ｎの電源端８２４１０、８２４２０、…、８２４Ｎ０を全て表示駆動源８２２に連通し、制御回路８２１は表示ゲート出力回路８２４により、接続されるスクリーンの行電極８１１及び列電極８１２へ表示駆動信号を送信し、スクリーン８１０は表示駆動状態になる。
【００８７】
タッチ検出の時期では、制御回路８２１は、アナログスイッチ８２６により最終段の駆動ユニットであるオペアンプ８２４１、８２４２、…、８２４Ｎの電源端８２４１０、８２４２０、…、８２４Ｎ０をそれぞれタッチ励起源８２３に連通し、表示ゲート出力回路８２４は、スクリーンの行電極８１１及び列電極８１２の各電極線へ同時にタッチ信号を送信する。タッチ回路８２５は、同時サンプリングまたは走査サンプリングにより、各オペアンプ８２４１、８２４２、…、８２４Ｎの出力端に設置されるサンプリングポイント８２５１、８２５２、…、８２５Ｎにおけるタッチ信号の変化をそれぞれ検出して、スクリーン８１０がタッチされたか否か、どの行列電極線の位置がタッチされたかを判定し、スクリーン８１０はタッチ検出状態になる。検出されたタッチされた行電極線とタッチされた列電極線との交差点から、タッチされたポイントの位置が決定される。
【００８８】
タッチフラットパネルディスプレイ８００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００８９】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【００９０】
実施形態９
図９に示すタッチフラットパネルディスプレイ９００は、薄膜トランジスタ（ＴＦＴ）能動型スクリーン９１０と、駆動回路９２０とを備える。駆動回路９２０は制御回路９２１と、表示駆動エネルギーを供給する表示駆動源９２２と、タッチ励起エネルギーを供給するタッチ励起源９２３と、表示ゲート出力回路９２４と、タッチ回路９２５と、アナログスイッチ群９２６と、アナログスイッチ群９２７１、９２７２、９２７３及び９２７４と、などを備える。スクリーン９１０は、ＴＦＴアレイ行電極９１１、列電極９１２及び共通電極９１３などを有する。表示ゲート出力回路９２４の最終段の駆動ユニットであるオペアンプ９２４１、…、９２４Ｎ、即ち、駆動回路９２０の最終段の駆動ユニットは、その入力端が前段回路９２４０に接続され、その出力端がスクリーンＴＦＴアレイの行電極９１１と列電極９１２の各電極線及び共通電極９１３に接続され、その電源端９２４１０、…、９２４Ｎ０がアナログスイッチ群９２６の各出力端に接続され、アナログスイッチ群９２６における各スイッチの一方の入力端は表示駆動源９２２に接続され、アナログスイッチ群９２６における各スイッチの他方の入力端が４組に分けられてアナログスイッチ群９２７１、９２７２、９２７３及び９２７４における各スイッチの各出力端にそれぞれ接続され、アナログスイッチ群９２７１、９２７２、９２７３及び９２７４における各スイッチの一方の入力端がそれぞれタッチ回路９２５のタッチ信号サンプリング素子９２５１、９２５２、９２５３及び９２５４を介してタッチ励起源９２３に接続され、アナログスイッチ群９２７１、９２７２、９２７３及び９２７４における各スイッチの他方の入力端がタッチ励起源９２３に直接に接続されている。タッチ信号サンプリング素子９２５１、９２５２、９２５３及び９２５４の、アナログスイッチ群９２７１、９２７２、９２７３及び９２７４に接続される一端には、検出点９２５１０、９２５２０、９２５３０及び９２５４０が設けられ、タッチ回路９２５に接続されている。タッチ回路９２５は、検出点９２５１０、９２５２０、９２５３０及び９２５４０における電位の変化を検出し、電位測定の参照端点は、タッチ信号サンプリング素子９２５１、９２５２、９２５３及び９２５４の他方の端点（即ち、タッチ励起源９２３の出力端）に設けられてもよく、駆動回路９２０の共通グランド端に設けられてもよく、または、駆動回路９２０のある特定の参照ポイントに設けられてもよい。制御回路９２１は、アナログスイッチ群９２６及びアナログスイッチ群９２７１、９２７２、９２７３、９２７４により、最終段の駆動ユニットであるオペアンプ９２４１、…、９２４Ｎの電源端９２４１０、…、９２４Ｎ０を、表示駆動源９２２に連通して、接続されるスクリーンの行電極９１１と列電極９１２の各電極線及び共通電極９１３へ表示駆動信号を送信したり、タッチ励起源９２３に連通して、接続されるスクリーンの行電極９１１と列電極９１２の各電極線及び共通電極９１３へタッチ信号を送信したりする。図９における各本の接続線は、単線による接続だけでなく、複数の線による接続関係も示す。
【００９１】
前記タッチフラットパネルディスプレイは、以下のように作動する。
【００９２】
表示駆動の時期では、駆動回路９２０におけるアナログスイッチ群９２６は、最終段の駆動ユニットであるオペアンプ９２４１、９２４２、…、９２４Ｎの電源端９２４１０、９２４２０、…、９２４Ｎ０を表示駆動源９２２に連通し、制御回路９２１は表示ゲート出力回路９２４により、接続されるスクリーンの行電極９１１と列電極９１２の各電極線及び共通電極９１３へ表示駆動信号を送信し、スクリーン９１０は表示駆動状態になる。
【００９３】
タッチ検出の時期では、制御回路９２１は、アナログスイッチ群９２６により、最終段の駆動ユニットであるオペアンプ９２４１、…、９２４Ｎの電源端９２４１０、…、９２４Ｎ０を４組に分けてアナログスイッチ群９２７１、９２７２、９２７３及び９２７４にそれぞれ接続し、９２７１、９２７２、９２７３及び９２７４は何れも、１回ごとに１組における一部（１つまたは複数）の電源端のみを、それぞれタッチ信号サンプリング素子９２５１、９２５２、９２５３及び９２５４を介してタッチ励起源９２３に連通し、残りの最終段の駆動ユニットの電源端をタッチ励起源９２３に直接に連通し、表示ゲート出力回路９２４はスクリーンの行電極９１１と列電極９１２の各電極線及び共通電極９１３へ同時にタッチ信号を送信する。タッチ回路９２５は、逐次サンプリングポイント９２５１０、９２５２０、９２５３０及び９２５４０におけるタッチ信号の変化をそれぞれ検出し、スクリーン９１０の複数の領域に対して同時にタッチ検出を行い、スクリーン９１０がタッチされたか否か、どの領域がタッチされたか、どの行列電極線の位置がタッチされたかを判定し、スクリーン９１０はタッチ検出状態になる。検出されたタッチされた行電極線とタッチされた列電極線との交差点から、タッチされたポイントの位置が決定される。
【００９４】
タッチフラットパネルディスプレイ９００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【００９５】
スクリーンの複数の領域に対して同時にタッチ検出を行うことにより、スクリーン全体に対するタッチ検出に必要な時間を節約することができる。
【００９６】
実施形態１０
図１０に示すタッチフラットパネルディスプレイ１０００は、薄膜トランジスタ（ＴＦＴ）能動型スクリーン１０１０と、駆動回路１０２０とを備える。駆動回路１０２０は、制御回路１０２１と、表示駆動エネルギーを供給する表示駆動源１０２２と、タッチ励起エネルギーを供給するタッチ励起源１０２３と、表示ゲート出力回路１０２４と、タッチ回路１０２５と、アナログスイッチ群１０２６からなる表示／タッチ信号ゲート出力回路と、アナログスイッチ群１０２７１、１０２７２、１０２７３及び１０２７４からなるゲート回路と、などを備える。スクリーン１０１０は、ＴＦＴアレイの行電極１０１１、列電極１０１２及び共通電極１０１３などを有する。表示ゲート出力回路１０２４の最終段の駆動ユニットであるオペアンプ１０２４１、…、１０２４Ｎ、即ち、駆動回路１０２０の最終段の駆動ユニットは、その入力端が前段回路１０２４０に接続され、その出力端がスクリーンＴＦＴアレイの行電極１０１１と列電極１０１２の各電極線及び共通電極１０１３に接続され、また、その電源端１０２４１０、…、１０２４Ｎ０がアナログスイッチ群１０２６における各スイッチの出力端に接続され、アナログスイッチ群１０２６における各スイッチの一方の入力端が表示駆動源１０２２に接続され、アナログスイッチ群１０２６における各スイッチの他方の入力端がタッチ励起源１０２３に接続されている。表示ゲート出力回路１０２４の最終段の駆動ユニットであるオペアンプ１０２４１、…、１０２４Ｎのそれぞれの出力端には、タッチ回路１０２５の検出点１０２５１、…、１０２５Ｎが設けられて、前記検出点１０２５１、…、１０２５Ｎは、４組に分けられてそれぞれアナログスイッチ群１０２７１、１０２７２、１０２７３及び１０２７４を介して、タッチ回路１０２５に接続されている。タッチ回路１０２５は、検出点における電位の変化を検出し、電位測定の参照端点は、タッチ励起源１０２３の出力端に設けられてもよく、駆動回路１０２０の共通グランド端に設けられてもよく、または、駆動回路１０２０のある特定の参照ポイントに設けられてもよい。制御回路１０２１は、アナログスイッチ１０２６により、最終段の駆動ユニットであるオペアンプ１０２４１、…、１０２４Ｎの電源端１０２４１０、…、１０２４Ｎ０を、表示駆動源１０２２に連通して、接続されるスクリーンの行電極１０１１と列電極１０１２の各電極線及び共通電極１０１３へ表示駆動信号を送信したり、タッチ励起源１０２３に連通して、接続されるスクリーンの行電極１０１１と列電極１０１２の各電極線及び共通電極１０１３へタッチ信号を送信したりする。図１０における各本の接続線は、単線による接続だけでなく、複数の線による接続関係も示す。
【００９７】
前記タッチフラットパネルディスプレイは、以下のように作動する。
【００９８】
表示駆動の時期では、駆動回路１０２０におけるアナログスイッチ１０２６は、最終段の駆動ユニットであるオペアンプ１０２４１、…、１０２４Ｎの電源端１０２４１０、…、１０２４Ｎ０を表示駆動源１０２２に接続し、制御回路１０２１は表示ゲート出力回路１０２４により、接続されるスクリーンの行電極１０１１と列電極１０１２の各電極線及び共通電極１０１３へ表示駆動信号を送信し、スクリーン１０１０は表示駆動状態になる。
【００９９】
タッチ検出の時期では、制御回路１０２１は、アナログスイッチ１０２６により、最終段の駆動ユニットであるオペアンプ１０２４１、…、１０２４Ｎの電源端１０２４１０、…、１０２４Ｎ０をタッチ励起源１０２３に連通し、表示ゲート出力回路１０２４はスクリーンの行電極１０１１と列電極１０１２の各電極線及び共通電極１０１３へ同時にタッチ信号を送信する。１０２７１、１０２７２、１０２７３及び１０２７４は何れも、１回ごとに１組の検出点における一部（１つまたは複数）の検出点のみをタッチ回路１０２５に連通し、タッチ回路１０２５は、４組の検出点におけるタッチ信号の変化をそれぞれ逐次検出し、スクリーン１０１０の複数の領域に対して同時にタッチ検出を行うことにより、スクリーン１０１０がタッチされたか否か、どの領域がタッチされたか、どの行列電極線の位置がタッチされたかを判定し、スクリーン１０１０はタッチ検出状態になる。検出されたタッチされた行電極線とタッチされた列電極線との交差点から、タッチされたポイントの位置が決定される。
【０１００】
タッチフラットパネルディスプレイ１０００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【０１０１】
スクリーンの複数の領域に対して同時にタッチ検出を行うことにより、スクリーン全体に対するタッチ検出に必要な時間を節約できる。
【０１０２】
実施形態１１
図１１に示すタッチフラットパネルスクリーン１１００は、受動スクリーン１１１０と、駆動回路１１２０とを備える。駆動回路１１２０は、制御回路１１２１と、表示駆動エネルギーを供給する表示駆動源１１２２と、タッチ励起エネルギーを供給するタッチ励起源１１２３と、表示ゲート出力回路１１２４と、タッチ回路１１２５と、表示／タッチ信号ローディング回路群１１２６と、アナログスイッチ群１１２７からなるゲート回路と、などを備える。スクリーン１１１０は、スクリーンの行電極１１１１及び列電極１１１２などを有する。表示駆動源１１２２にはＤＣ電源が使用され、タッチ励起源１１２３には、高い（例えば５０ＫＨｚよりも大きい）周波数のＡＣ電源が使用される。表示ゲート出力回路１１２４の最終段の駆動ユニットであるオペアンプ１１２４１、１１２４２、…、１１２４Ｎ、即ち、駆動回路１１２０の最終段の駆動ユニットは、その入力端が前段回路１１２４０に接続され、その出力端がスクリーンの行電極１１１１及び列電極１１１２の各電極線に接続され、また、その電源端１１２４１０、１１２４２０、…、１１２４Ｎ０が表示／タッチ信号ローディング回路群１１２６の各表示／タッチ信号ローディング回路ユニット１１２６１、…、１１２６Ｎの出力端に接続され、各表示／タッチ信号ローディング回路ユニットの一方の入力端が表示駆動源１１２２に接続され、他方の入力端がアナログスイッチ群１１２７の各アナログスイッチの出力端にそれぞれに接続され、アナログスイッチ群１１２７の各スイッチの一方の入力端がタッチ回路１１２５のタッチ信号サンプリング抵抗１１２５１を介してタッチ励起源１１２３に接続され、他方の入力端がバランス抵抗１１２５２を介してタッチ励起源１１２３に接続されている。タッチ信号サンプリング素子１１２５１の、アナログスイッチ群１１２７に接続される一端には、検出点が設けられて、タッチ回路１１２５に接続されている。タッチ回路１１２５は、検出点における電位の変化を検出し、電位測定の参照端点は、タッチ信号サンプリング素子１１２５１の他方の端点（即ち、タッチ励起源１１２３の出力端）に設けられてもよく、駆動回路１１２０の共通グランド端に設けられてもよく、または、駆動回路１１２０のある特定の参照ポイントに設けられてもよい。表示／タッチ信号ローディング回路群１１２６及びアナログスイッチ群１１２７は、表示駆動源１１２２とＡＣタッチ励起源１１２３との複合信号を最終段の駆動ユニットであるオペアンプ１１２４１、１１２４２、…、１１２４Ｎの電源端１１２４１０、１１２４２０、…、１１２４Ｎ０に与え、オペアンプ１１２４１、１１２４２、…、１１２４Ｎは、接続されるスクリーンの行電極１１１１及び列電極１１１２の各電極線へ表示駆動とタッチとの複合信号を送信する。図１１における各本の接続線は、単線による接続だけでなく、複数の線による接続関係も示す。
【０１０３】
前記タッチフラットパネルディスプレイは、表示駆動及びタッチ検出を同時に行うことにより作動してもよい。
【０１０４】
制御回路１１２１は、１回ごとにアナログスイッチ群１１２７における各アナログスイッチのうちの１つを選択して、タッチ信号サンプリング抵抗１１２５１を介して高周波のタッチ励起源１１２３に接続し、残りのスイッチもバランス抵抗１１２５２を介して高周波のタッチ励起源１１２３に接続される。表示／タッチ信号ローディング回路群１１２６の各表示／タッチ信号ローディング回路ユニットは、表示駆動源１１２２及びタッチ励起源１１２３を同時に駆動回路の最終段の各オペアンプの電源端に印加すると、各オペアンプは、スクリーンの行電極１１１１及び列電極１１１２の各電極線へ低周波表示駆動信号と高周波タッチ信号との複合信号を同時に送信する。制御回路１１２１は、アナログスイッチ群１１２７の各スイッチを逐次にタッチ信号サンプリング抵抗１１２５１を介してタッチ励起源１１２３に接続し、スクリーンの行電極１１１１及び列電極１１１２の各電極線がタッチ信号を同時に送信するとともに、タッチ回路１１２５が１回ごとにスクリーンの行電極１１１１及び列電極１１１２のうちの１本の電極線における高周波のタッチ信号の変化のみを検出する。タッチ回路１１２５は、タッチ信号サンプリング素子１１２５１における高周波のタッチ信号の変化を逐次検出することにより、スクリーン１１１０がタッチされたか否か、どの電極線の位置がタッチされたかを判定する。検出されたタッチされた行電極線とタッチされた列電極線との交差点から、タッチされたポイントの位置が決定される。表示駆動及びタッチ検出の場合にスクリーン電極を周波数分割多重化し、表示もタッチもできるタッチフラットパネルディスプレイを形成する。
【０１０５】
前記タッチフラットパネルディスプレイは、表示駆動及びタッチ検出が時分割的に行われることにより作動してもよい。
【０１０６】
表示駆動の時期では、駆動回路１１２０におけるアナログスイッチ群１１２７の各スイッチは、タッチ励起源１１２３から遮断され、表示／タッチ信号ローディング回路群１１２６における各表示／タッチ信号ローディング回路ユニットは表示駆動源１１２２のみを駆動回路の最終段の各オペアンプの電源端に印加し、表示駆動信号にいずれのタッチ信号も合成せず、駆動回路の最終段の各オペアンプはスクリーンの行電極１１１１及び列電極１１１２の各電極線へ低周波の表示駆動信号のみを送信し、スクリーン１１１０は表示駆動状態になる。
【０１０７】
タッチ検出の時期では、制御回路１１２１は１回ごとにアナログスイッチ群１１２７における各アナログスイッチのうちの１つのみを選択して、タッチ信号サンプリング抵抗１１２５１を介して高周波のタッチ励起源１１２３に連通し、残りのスイッチもバランス抵抗１１２５２を介して高周波のタッチ励起源１１２３に連通する。表示／タッチ信号ローディング回路群１１２６における各表示／タッチ信号ローディング回路ユニットは、表示駆動源１１２２及びタッチ励起源１１２３を同時に駆動回路の最終段の各オペアンプの電源端に印加する。さらに、制御回路１１２１により、最終段の各オペアンプの表示駆動状態が黒色または白色の表示駆動信号を出力するようになると、各オペアンプは同時にスクリーンの行電極１１１１及び列電極１１１２の各電極線へ低周波の黒色または白色の表示駆動信号及び高周波タッチ信号を送信する。制御回路１１２１は、アナログスイッチ群１１２７の各スイッチを逐次にタッチ信号サンプリング抵抗１１２５１を介してタッチ励起源１１２３に連通し、スクリーンの行電極１１１１及び列電極１１１２の各電極線が同時にタッチ信号を送信するとともに、タッチ回路１１２５が１回ごとにスクリーンの行電極１１１１及び列電極１１１２におけるタッチ信号サンプリング抵抗１１２５１に接続される電極線における高周波のタッチ信号の変化のみを検出する。タッチ回路１１２５は、タッチ信号サンプリング素子１１２５１における高周波のタッチ信号の変化を逐次検出することにより、スクリーン１１１０がタッチされたか否か、どの電極線の位置がタッチされたかを判定し、スクリーン１１１０はタッチ検出状態になる。検出されたタッチされた行電極線とタッチされた列電極線との交差点から、タッチされたポイントの位置が決定される。
【０１０８】
タッチフラットパネルスクリーン１１００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【０１０９】
実施形態１２
図１２に示すタッチフラットパネルディスプレイ１２００は、受動スクリーン１２１０と、駆動回路１２２０とを備える。駆動回路１２２０は、制御回路１２２１と、表示駆動エネルギーを供給する表示駆動源１２２２と、タッチ励起エネルギーを供給するタッチ励起源１２２３と、表示ゲート出力回路１２２４と、タッチ回路１２２５と、表示／タッチ信号ローディング回路１２２６及びアナログスイッチ１２２７と、などを備える。スクリーン１２１０は、スクリーンの行電極１２１１及び列電極１２１２などを有する。表示駆動源１２２２にはＤＣ電源が使用され、タッチ励起源１２２３には高い（例えば５０ＫＨｚよりも高い）周波数のＡＣ電源が使用される。表示ゲート出力回路１２２４の最終段の駆動ユニットであるオペアンプ１２２４１、１２２４２、…、１２２４Ｎ、即ち、駆動回路１２２０の最終段の駆動ユニットは、その入力端が前段回路１２２４０に接続され、その出力端がスクリーンの行電極１２１１及び列電極１２１２の各電極線に接続され、また、その電源端１２２４１０、１２２４２０、…、１２２４Ｎ０が表示／タッチ信号ローディング回路１２２６の出力端に接続され、各表示／タッチ信号ローディング回路ユニットの一方の入力端が表示駆動源１２２２に接続され、他方の入力端がアナログスイッチ１２２７を介してタッチ励起源１２２３に接続されている。表示ゲート出力回路１２２４の最終段の駆動ユニットであるオペアンプ１２２４１、１２２４２、…、１２２４Ｎのそれぞれの出力端には、タッチ回路１２２５のサンプリングポイント１２２５１、１２２５２、…、１２２５Ｎが設けられて、タッチ回路１２２５に接続されている。タッチ回路１２２５は、サンプリングポイントにおける電位の変化を検出し、電位測定の参照端点は、タッチ励起源１２２３の出力端に設けられてもよく、駆動回路１２２０の共通グランド端に設けられてもよく、または、駆動回路１２２０のある特定の参照ポイントに設けられてもよい。表示／タッチ信号ローディング回路群１２２６は、表示駆動源１２２２とＡＣタッチ励起源１２２３との複合信号を最終段の駆動ユニットであるオペアンプ１２２４１、１２２４２、…、１２２４Ｎの電源端１２２４１０、１２２４２０、…、１２２４Ｎ０に与え、オペアンプ１２２４１、１２２４２、…、１２２４Ｎは、接続されるスクリーンの行電極１２１１及び列電極１２１２の各電極線へ表示駆動とタッチとの複合信号を送信する。図１２における各本の接続線は、単線による接続だけでなく、複数の線による接続関係も示す。
【０１１０】
前記タッチフラットパネルディスプレイは、表示駆動及びタッチ検出を同時に行うことにより作動してもよい。
【０１１１】
制御回路１２２１は、アナログスイッチ１２２７をオフ状態にし、表示／タッチ信号ローディング回路１２２６をタッチ励起源１２２３に連通し、表示／タッチ信号ローディング１２２６により表示駆動源１２２２及びタッチ励起源１２２３を同時に駆動回路の最終段の各オペアンプの電源端に印加すると、各オペアンプは同時にスクリーンの行電極１２１１及び列電極１２１２の各電極線へ低周波表示駆動信号と高周波タッチ信号との複合信号を送信する。タッチ回路１２２５は、同時サンプリングまたは走査サンプリングにより、各オペアンプ１２２４１、１２２４２、…、１２２４Ｎの出力端に設置されるサンプリングポイント１２２５１、１２２５２、…、１２２５Ｎにおけるタッチ信号の変化をそれぞれ検出して、スクリーン１２１０がタッチされたか否か、どの電極線の位置がタッチされたかを判定する。検出されたタッチされた行電極線とタッチされた列電極線との交差点から、タッチされたポイントの位置が決定される。表示駆動及びタッチ検出の場合にスクリーン電極を周波数分割多重化し、表示もタッチもできるタッチフラットパネルディスプレイを形成する。
【０１１２】
前記タッチフラットパネルディスプレイは、表示駆動及びタッチ検出が時分割的に行われることにより作動することもできる。
【０１１３】
表示駆動の時期では、駆動回路１２２０におけるアナログスイッチ１２２７はタッチ励起源１２２３から遮断され、表示／タッチ信号ローディング回路１２２６は、表示駆動源１２２２のみを駆動回路の最終段の各オペアンプの電源端に印加し、表示駆動信号にいずれのタッチ信号も合成せず、駆動回路の最終段の各オペアンプは、スクリーンの行電極１２１１及び列電極１２１２の各電極線のみへ低周波の表示駆動信号を送信し、スクリーン１２１０は表示駆動状態になる。
【０１１４】
タッチ検出の時期では、アナログスイッチ１２２７はオフ状態になり、表示／タッチ信号ローディング回路１２２６は表示駆動源１２２２及びタッチ励起源１２２３を同時に駆動回路の最終段の各オペアンプの電源端に印加する。さらに、制御回路１２２１により、最終段の各オペアンプの表示駆動状態が黒色または白色の表示駆動信号を出力するようになると、各オペアンプは、同時にスクリーンの行電極１２１１及び列電極１２１２の各電極線へ低周波の黒色または白色の表示駆動信号と高周波タッチ信号との複合信号を送信する。タッチ回路１２２５は、同時サンプリングまたは走査サンプリングにより、各オペアンプ１２２４１、１２２４２、…、１２２４Ｎの出力端に設置されるサンプリングポイント１２２５１、１２２５２、…、１２２５Ｎにおける複合信号における高周波タッチ信号の変化をそれぞれ検出して、スクリーン１２１０がタッチされたか否か、どの電極線の位置がタッチされたかを判定し、スクリーン１２１０はタッチ検出状態になる。検出されたタッチされた行電極線とタッチされた列電極線との交差点から、タッチされたポイントの位置が決定される。
【０１１５】
タッチフラットパネルディスプレイ１２００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【０１１６】
実施形態１３
図１３に示すタッチフラットパネルディスプレイ１３００は、薄膜トランジスタ（ＴＦＴ）能動型スクリーン１３１０と、駆動回路１３２０とを備える。駆動回路１３２０は、制御回路１３２１と、表示駆動エネルギー及びタッチ励起エネルギーを供給する共用駆動源１３２２と、表示ゲート出力回路１３２３と、タッチ回路１３２４と、アナログスイッチ群１３２５と、などを備える。表示ゲート出力回路１３２３の最終段の駆動ユニットであるオペアンプ１３２３１、１３２３２、…、１３２３Ｎ、即ち、駆動回路１３２０の最終段の駆動ユニットは、その入力端が前段回路１３２３０に接続され、その出力端がスクリーンＴＦＴアレイの行電極１３１１と列電極１３１２の各電極線及び共通電極１３１３に接続され、また、その電源端１３２３１０、１３２３２０、…、１３２３Ｎ０がアナログスイッチ群１３２５の各出力端に接続され、アナログスイッチ群１３２５の各スイッチの一方の入力端がタッチ回路１３２４のタッチ信号サンプリング素子１３２４１を介して共用駆動源１３２２に接続され、他方の入力端が直接に共用駆動源１３２２に接続されている。タッチ信号サンプリング素子１３２４１のアナログスイッチ群１３２５に接続される一端には検出点が設けられ、タッチ回路１３２４に接続されている。タッチ回路１３２４は検出点における電位の変化を検出し、電位測定の参照端点は、タッチ信号サンプリング素子１３２４１の他方の端点（即ち、共用駆動源１３２２の出力端）に設けられてもよく、駆動回路１３２０の共通グランド端に設けられてもよく、または、駆動回路１３２０のある特定の参照ポイントに設けられてもよい。表示駆動及びタッチ励起の共用駆動源１３２２には、ＤＣ電源が使用される。制御回路１３２１は、最終段のオペアンプ１３２３１、１３２３２、…、１３２３Ｎの前段回路が最終段のオペアンプ１３２３１、１３２３２、…、１３２３Ｎの入力端へＤＣまたは低周波信号を出力する際に、最終段のオペアンプの出力端もその入力端に伴い、接続されるスクリーンの行電極１３１１と列電極１３１２の各電極線及び共通電極１３１３へＤＣまたは低周波の表示駆動信号を出力するように制御する。制御回路１３２１は、最終段のオペアンプの前段回路が最終段のオペアンプの入力端へ高い（例えば、５０ＫＨｚよりも高い）周波数の信号を出力する際に、最終段のオペアンプの出力端もその入力端に伴い、接続されるスクリーンの行電極１３１１と列電極１３１２の各電極線及び共通電極１３１３へ高い周波数のタッチ信号を出力するように制御する。駆動回路１３２０によるスクリーン１３１０への表示駆動エネルギー及びタッチ励起エネルギーは、いずれも共用駆動源１３２２からである。図１３における各本の接続線は、単線による接続だけでなく、複数の線による接続関係も示す。
【０１１７】
前記タッチフラットパネルディスプレイは、以下のように作動する。
【０１１８】
表示駆動の時期では、制御回路１３２１は、最終段のオペアンプ１３２３１、１３２３２、…、１３２３Ｎの電源端１３２３１０、１３２３２０、…、１３２３Ｎ０に接続されるアナログスイッチ群１３２５を、オペアンプの電源端が直接に共用駆動源１３２２に連通するように切り替え、制御回路１３２１は、前段回路が最終段のオペアンプ１３２３１、１３２３２、…、１３２３Ｎの入力端へＤＣまたは低周波信号を入力する時に、最終段のオペアンプの出力端もその入力端に伴い、接続されるスクリーンの行電極１３１１と列電極１３１２の各電極線及び共通電極１３１３へＤＣまたは低周波の表示駆動信号を出力するように制御する。この期間において、駆動回路１３２０は完全に通常の表示駆動器のように作動し、表示ゲート出力回路１３２３は接続されるスクリーンの行電極１３１１と列電極１３１２の各電極線及び共通電極１３１３へ表示駆動信号を送信し、スクリーン１３１０は表示駆動状態になる。
【０１１９】
タッチ検出の時期では、制御回路１３２１は、前段回路が最終段のオペアンプ１３２３１、１３２３２、…、１３２３Ｎの入力端へ高い（例えば、５０ＫＨｚよりも高い）周波数の信号を入力するように制御し、最終段のオペアンプの出力端もその入力端に伴い、接続されるスクリーンの行電極１３１１と列電極１３１２の各電極線及び共通電極１３１３へ高い周波数のタッチ信号を出力する。そして、制御回路１３２１は、アナログスイッチ群１３２５における各アナログスイッチ１３２５１、１３２５２、…、１３２５Ｎから、１回ごとに１つのスイッチのみを選択して、逐次にタッチ信号サンプリング抵抗１３２４１を介して共用駆動源１３２２に連通し、残りのスイッチを共用駆動源１３２２に直接に連通する。スクリーンの行電極１３１１と列電極１３１２の各電極線及び共通電極１３１３は表示駆動信号及びタッチ信号を同時に送信するとともに、タッチ回路１３２４は１回ごとにスクリーンの行電極１３１１及び列電極１３１２におけるタッチ信号サンプリング抵抗１３２４１に接続される電極線におけるタッチ信号の変化のみを検出する。この期間において、駆動回路１３２０は、接続されるスクリーンの行電極１３１１と列電極１３１２の各電極線及び共通電極１３１３へ高い周波数のタッチ信号を出力し、タッチ回路１３２４は、タッチ信号サンプリング素子１３２４１におけるタッチ信号の変化を逐次検出することにより、スクリーン１３１０がタッチされたか否か、どの行列電極線の位置がタッチされたかを判定し、スクリーン１３１０はタッチ検出状態になる。検出されたタッチされた行電極線とタッチされた列電極線との交差点から、タッチされたポイントの位置が決定される。
【０１２０】
タッチフラットパネルディスプレイ１３００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【０１２１】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【０１２２】
実施形態１４
図１４に示すタッチフラットパネルディスプレイ１４００は、薄膜トランジスタ（ＴＦＴ）能動型スクリーン１４１０と、駆動回路１４２０とを備える。駆動回路１４２０は、制御回路１４２１と、表示駆動エネルギー及びタッチ励起エネルギーを供給する共用駆動源１４２２と、表示ゲート出力回路１４２３と、タッチ回路１４２４と、などを備える。表示ゲート出力回路１４２３の最終段の駆動ユニットであるオペアンプ１４２３１、１４２３２、…、１４２３Ｎ、即ち、駆動回路１４２０の最終段の駆動ユニットは、その入力端が前段回路１４２３０に接続され、その出力端がスクリーンＴＦＴアレイの行電極１４１１と列電極１４１２の各電極線及び共通電極１４１３に接続され、その電源端１４２３１０、１４２３２０、…、１４２３Ｎ０がタッチ信号サンプリングユニット１４２４１、１４２４２、…、１４２４Ｎを介して共用駆動源１４２２に接続されている。タッチ信号サンプリングユニット１４２４１、１４２４２、…、１４２４Ｎは、何れもタッチ回路１４２４に接続され、タッチ回路１４２４はサンプリングユニットにおけるタッチ信号の変化を検出する。表示駆動及びタッチ励起の共用駆動源１４２２には、ＤＣ電源が使用される。制御回路１４２１は、最終段のオペアンプ１４２３１、１４２３２、…、１４２３Ｎの前段回路が最終段のオペアンプ１４２３１、１４２３２、…、１４２３Ｎの入力端へＤＣまたは低周波信号を入力する際に、最終段のオペアンプの出力端もその入力端に伴い、接続されるスクリーンの行電極１４１１と列電極１４１２の各電極線及び共通電極１４１３へＤＣまたは低周波の表示駆動信号を出力するように制御する。制御回路１４２１は、最終段のオペアンプの前段回路が最終段のオペアンプの入力端へ高い（例えば、５０ＫＨｚよりも高い）周波数の信号を入力する際に、最終段のオペアンプの出力端もその入力端に伴い、接続されるスクリーンの行電極１４１１と列電極１４１２の各電極線及び共通電極１４１３へ高い周波数のタッチ信号を出力するように制御する。駆動回路１４２０によるスクリーン１４１０への表示駆動エネルギー及びタッチ励起エネルギーは、何れも共用駆動源１４２２からである。図１４における各本の接続線は、単線による接続だけでなく、複数の線による接続関係も示す。
【０１２３】
前記タッチフラットパネルディスプレイは、以下のように作動する。
【０１２４】
表示駆動の時期では、制御回路１４２１は、前段回路が最終段のオペアンプ１４２３１、１４２３２、…、１４２３Ｎの入力端へＤＣまたは低周波信号を入力する際に、最終段のオペアンプの出力端もその入力端に伴い、接続されるスクリーンの行電極１４１１と列電極１４１２の各電極線及び共通電極１４１３へＤＣまたは低周波の表示駆動信号を出力するように制御する。この期間において、駆動回路１４２０は完全に通常の表示駆動器のように作動し、表示ゲート出力回路１４２３は、接続されるスクリーンの行電極１４１１と列電極１４１２の各電極線及び共通電極１４１３へ表示駆動信号を送信し、スクリーン１４１０は表示駆動状態になる。
【０１２５】
タッチ検出の時期では、制御回路１４２１は、前段回路が最終段のオペアンプ１４２３１、１４２３２、…、１４２３Ｎの入力端へ高い（例えば、５０ＫＨｚよりも高い）周波数の信号を入力し、最終段のオペアンプの出力端もその入力端に伴い、接続されるスクリーンの行電極１４１１と列電極１４１２の各電極線及び共通電極１４１３へ同時に高い周波数のタッチ信号を出力するように制御する。タッチ回路１４２４は、同時サンプリングまたは走査サンプリングにより、各タッチ信号サンプリングユニット１４２４１、１４２４２、…、１４２４Ｎにおけるタッチ信号の変化をそれぞれ検出して、スクリーン１４１０がタッチされたか否か、どの行列電極線の位置がタッチされたかを判定し、スクリーン１４１０はタッチ検出状態になる。検出されたタッチされた行電極線とタッチされた列電極線との交差点から、タッチされたポイントの位置が決定される。
【０１２６】
タッチフラットパネルディスプレイ１４００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【０１２７】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【０１２８】
タッチ信号サンプリングユニットは、単一の抵抗、キャパシタンスやインダクタンスの受動素子であってもよく、複数種の受動素子の組み合わせであってもよく、単一の能動素子であってもよく、または、能動素子を有する回路ユニットであってもよい。
【０１２９】
実施形態１５
図１５に示すタッチフラットパネルディスプレイ１５００は、薄膜トランジスタ（ＴＦＴ）能動型スクリーン１５１０と、駆動回路１５２０とを備える。駆動回路１５２０は、制御回路１５２１と、表示駆動エネルギー及びタッチ励起エネルギーを供給する共用駆動源１５２２と、表示ゲート出力回路１５２３と、タッチ回路１５２４と、などを備える。表示ゲート出力回路１５２３の最終段の駆動ユニットであるオペアンプ１５２３１、１５２３２、…、１５２３Ｎ、即ち、駆動回路１５２０の最終段の駆動ユニットは、その入力端が前段回路１５２３０に接続され、その出力端がスクリーンＴＦＴアレイの行電極１５１１と列電極１５１２の各電極線及び共通電極１５１３に接続され、その電源端１５２３１０、１５２３２０、…、１５２３Ｎ０が共用駆動源１５２２に接続されている。表示ゲート出力回路１５２３の最終段の駆動ユニットであるオペアンプ１５２３１、１５２３２、…、１５２３Ｎのそれぞれの出力端には、タッチ回路１５２４の検出点１５２４１、１５２４２、…、１５２４Ｎが設けられている。タッチ回路１５２４は検出点における電位の変化を検出し、電位測定の参照端点は、共用駆動源１５２２の出力端に設けられてもよく、駆動回路１５２０の共通グランド端に設けられてもよく、または、駆動回路１５２０のある特定の参照ポイントに設けられてもよい。表示駆動及びタッチ励起の共用駆動源１５２２にはＤＣ電源が使用される。制御回路１５２１は、最終段のオペアンプ１５２３１、１５２３２、…、１５２３Ｎの前段回路が最終段のオペアンプ１５２３１、１５２３２、…、１５２３Ｎの入力端へＤＣまたは低周波信号を入力する際に、最終段のオペアンプの出力端もその入力端に伴い、接続されるスクリーンの行電極１５１１と列電極１５１２の各電極線及び共通電極１５１３へＤＣまたは低周波の表示駆動信号を出力するように制御する。制御回路１５２１は、最終段のオペアンプの前段回路が最終段のオペアンプの入力端へ高い（例えば、５０ＫＨｚよりも高い）周波数の信号を入力する際に、最終段のオペアンプの出力端もその入力端に伴い、接続されるスクリーンの行電極１５１１と列電極１５１２の各電極線及び共通電極１５１３へ高い周波数のタッチ信号を出力するように制御する。駆動回路１５２０によるスクリーン１５１０への表示駆動エネルギー及びタッチ励起エネルギーは、何れも共用駆動源１５２２からである。図１５における各本の接続線は、単線による接続だけでなく、複数の線による接続関係も示す。
【０１３０】
前記タッチフラットパネルディスプレイは、以下のように作動する。
【０１３１】
表示駆動の時期では、制御回路１５２１は、前段回路が最終段のオペアンプ１５２３１、１５２３２、…、１５２３Ｎの入力端へＤＣまたは低周波信号を入力する際に、最終段のオペアンプの出力端もその入力端に伴い、接続されるスクリーンの行電極１５１１と列電極１５１２の各電極線及び共通電極１５１３へＤＣまたは低周波の表示駆動信号を出力するように制御する。この期間において、駆動回路１５２０は完全に通常の表示駆動器のように作動し、表示ゲート出力回路１５２３は接続されるスクリーンの行電極１５１１と列電極１５１２の各電極線及び共通電極１５１３へ表示駆動信号を送信し、スクリーン１５１０は表示駆動状態になる。
【０１３２】
タッチ検出の時期では、制御回路１５２１は、前段回路が最終段のオペアンプ１５２３１、１５２３２、…、１５２３Ｎの入力端へ高い（例えば５０ＫＨｚよりも高い）周波数の信号を入力し、最終段のオペアンプの出力端もその入力端に伴い、接続されるスクリーンの行電極１５１１と列電極１５１２の各電極線及び共通電極１５１３へ同時に高い周波数のタッチ信号を出力するように制御する。タッチ回路１５２４は、同時サンプリングまたは走査サンプリングにより、各オペアンプ１５２３１、１５２３２、…、１５２３Ｎの出力端に設置されるサンプリングポイント１５２４１、１５２４２、…、１５２４Ｎにおけるタッチ信号の変化をそれぞれ検出して、スクリーン１５１０がタッチされたか否か、どの行列電極線の位置がタッチされたかを判定し、スクリーン１５１０はタッチ検出状態になる。検出されたタッチされた行電極線とタッチされた列電極線との交差点から、タッチされたポイントの位置が決定される。
【０１３３】
タッチフラットパネルディスプレイ１５００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【０１３４】
タッチされた電極線の判定条件としては、流れているタッチ信号の変化が最大であり、且つある所定閾値を超えたことが検出された電極線をタッチされた電極線としてもよい。または、流れているタッチ信号の変化が最大であり、且つある所定閾値を超えたことが検出された電極線をタッチされた電極線とする代わりに、タッチフラットパネルディスプレイが同時マルチタッチに対応可能になるように、流れているタッチ信号の変化がある所定閾値を超えたことが検出された電極線だけをタッチされた電極線としてもよい。
【０１３５】
実施形態１６
図１６に示すタッチフラットパネルディスプレイ１６００は、受動スクリーン１６１０と、駆動回路１６２０とを備える。駆動回路１６２０は、制御回路１６２１と、表示駆動エネルギーを供給する表示駆動源１６２２と、タッチ励起エネルギーを供給するタッチ励起源１６２３と、表示ゲート出力回路１６２４と、タッチ回路１６２５と、アナログスイッチ群１６２６及び１６２７と、などを備える。スクリーン１６１０は、スクリーンの行電極１６１１及び列電極１６１２などを有する。表示駆動源１６２２にはＤＣ電源が使用され、タッチ励起源１６２３には高い（例えば、５０ＫＨｚよりも高い）周波数のＡＣ電源が使用される。表示ゲート出力回路１６２４の最終段の駆動ユニットであるオペアンプ１６２４１、１６２４２、…、１６２４Ｎ、即ち、駆動回路１６２０の最終段の駆動ユニットは、その入力端が前段回路１６２４０に接続され、その出力端がスクリーンの行電極１６１１及び列電極１６１２の各電極線に接続され、その電源端１６２４１０、１６２４２０、…、１６２４Ｎ０がアナログスイッチ群１６２６の各出力端に接続され、アナログスイッチ群１６２６における各スイッチの一方の入力端が表示駆動源１６２２に接続され、アナログスイッチ群１６２６における各スイッチの他方の入力端はアナログスイッチ群１６２７の出力端に接続され、アナログスイッチ群１６２７における各スイッチの一方の入力端がタッチ回路１６２５のタッチ信号サンプリング抵抗１６２５１を介してタッチ励起源１６２３に接続され、他方の入力端がバランス抵抗１６２５２を介してタッチ励起源１６２３に接続されている。タッチ信号サンプリング素子１６２５１のアナログスイッチ群１６２７に接続される一端には検出点が設けられて、タッチ回路１６２５に接続されている。タッチ回路１６２５は検出点における電位の変化を検出し、電位測定の参照端点は、タッチ信号サンプリング素子１６２５１の他方の端点（即ち、タッチ励起源１６２３の出力端）に設けられてもよく、駆動回路１６２０の共通グランド端に設けられてもよく、または、駆動回路１６２０のある特定の参照ポイントに設けられてもよい。制御回路１６２１は、アナログスイッチ群１６２６及び１６２７により、最終段の駆動ユニットであるオペアンプ１６２４１、１６２４２、…、１６２４Ｎの電源端１６２４１０、１６２４２０、…、１６２４Ｎ０を、表示駆動源１６２２に連通して、接続されるスクリーンの行電極１６１１及び列電極１６１２の各電極線へ表示駆動信号を送信したり、タッチ励起源１６２３に連通して、接続されるスクリーンの行電極１６１１及び列電極１６１２の各電極線へタッチ信号を送信したりする。図１６における各本の接続線は、単線による接続だけでなく、複数の線による接続関係も示す。
【０１３６】
前記タッチフラットパネルディスプレイは、以下のように作動する。
【０１３７】
表示駆動の時期では、駆動回路１６２０におけるアナログスイッチ群１６２６は、最終段の駆動ユニットであるオペアンプ１６２４１、１６２４２、…、１６２４Ｎの電源端１６２４１０、１６２４２０、…、１６２４Ｎ０を表示駆動源１６２２に連通し、制御回路１６２１は表示ゲート出力回路１６２４により、接続されるスクリーン電極１６１１及び１６１２へ表示駆動信号を送信し、スクリーン１６１０は表示駆動状態になる。
【０１３８】
タッチ検出の時期では、制御回路１６２１は、アナログスイッチ群１６２６により、最終段の駆動ユニットであるオペアンプ１６２４１、１６２４２、…、１６２４Ｎの電源端１６２４１０、１６２４２０、…、１６２４Ｎ０を全てアナログスイッチ群１６２７に連通し、そしてアナログスイッチ群１６２７を介して、１回ごとに１つの最終段の駆動ユニットの電源端のみを、または、１回ごとに複数の最終段の駆動ユニットの電源端を、タッチ信号サンプリング抵抗１６２５１を介してタッチ励起源１６２３に連通し、残りの最終段の駆動ユニットの電源端を、バランス抵抗１６２５２を介してタッチ励起源１６２３に連通し、表示ゲート出力回路１６２４は、スクリーンの行電極１６１１及び列電極１６１２の各電極線へ同時にタッチ信号を送信する。タッチ回路１６２５は、タッチ信号サンプリング抵抗１６２５１におけるタッチ信号の変化を逐次検出することにより、スクリーン１６１０がタッチされたか否か、どの行列電極線の位置がタッチされたかを判定し、スクリーン１６１０はタッチ検出状態になる。検出されたタッチされた行電極線とタッチされた列電極線との交差点から、タッチされたポイントの位置が決定される。
【０１３９】
タッチフラットパネルディスプレイ１６００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【０１４０】
実施形態１７
図１７に示すタッチフラットパネルディスプレイ１７００は、受動スクリーン１７１０と、駆動回路１７２０とを備える。駆動回路１７２０は、制御回路１７２１と、表示駆動エネルギーを供給する表示駆動源１７２２と、タッチ励起エネルギーを供給するタッチ励起源１７２３と、表示ゲート出力回路１７２４と、タッチ回路１７２５と、アナログスイッチ群１７２６からなる表示／タッチ信号ゲート出力回路と、などを備える。アナログスイッチ群１７２６は、多位置単極単投アナログスイッチからなる多極単投アナログスイッチ群である。スクリーン１７１０は、スクリーンの行電極１７１１及び列電極１７１２などを有する。表示駆動源１７２２にはＤＣ電源が使用され、タッチ励起源１７２３には高い（例えば、５０ＫＨｚよりも高い）周波数のＡＣ電源が使用される。表示ゲート出力回路１７２４の最終段の駆動ユニットであるオペアンプ１７２４１、１７２４２、…、１７２４Ｎ、即ち、駆動回路１７２０の最終段の駆動ユニットは、その入力端が前段回路１７２４０に接続され、その出力端がスクリーンの行電極１７１１及び列電極１７１２の各電極線に接続され、その電源端１７２４１０、１７２４２０、…、１７２４Ｎ０がアナログスイッチ群１７２６の各出力端に接続され、アナログスイッチ群１７２６における各スイッチの一方の入力端が表示駆動源１７２２に接続され、アナログスイッチ群１７２６における各スイッチの２番目の入力端がバランス素子１７２５２を介してタッチ励起源に接続され、アナログスイッチ群１７２６における各スイッチの３番目の入力端がサンプリング素子１７２５１を介してタッチ励起源に接続されている。タッチ信号サンプリング素子１７２５１のアナログスイッチ群１７２６に接続される一端には検出点が設けられて、タッチ回路１７２５に接続されている。タッチ回路１７２５は、検出点における電位の変化を検出し、電位測定の参照端点は、タッチ信号サンプリング素子１７２５１の他方の端点（即ち、タッチ励起源１７２３の出力端）に設けられてもよく、駆動回路１７２０の共通グランド端に設けられてもよく、または、駆動回路１７２０のある特定の参照ポイントに設けられてもよい。制御回路１７２１は、アナログスイッチ群１７２６により、最終段の駆動ユニットであるオペアンプ１７２４１、１７２４２、…、１７２４Ｎの電源端１７２４１０、１７２４２０、…、１７２４Ｎ０を、表示駆動源１７２２に連通して、接続されるスクリーンの行電極１７１１及び列電極１７１２の各電極線へ表示駆動信号を送信したり、タッチ励起源１７２３に連通して、接続されるスクリーンの行電極１７１１及び列電極１７１２の各電極線へタッチ信号を送信したりする。図１７における各本の接続線は、単線による接続だけでなく、複数の線による接続関係も示す。
【０１４１】
前記タッチフラットパネルディスプレイは、以下のように作動する。
【０１４２】
表示駆動の時期では、駆動回路１７２０におけるアナログスイッチ群１７２６は、最終段の駆動ユニットであるオペアンプ１７２４１、１７２４２、…、１７２４Ｎの電源端１７２４１０、１７２４２０、…、１７２４Ｎ０を表示駆動源１７２２に連通し、制御回路１７２１は表示ゲート出力回路１７２４により、接続されるスクリーン電極１７１１及び１７１２へ表示駆動信号を送信し、スクリーン１７１０は表示駆動状態になる。
【０１４３】
タッチ検出の時期では、制御回路１７２１は、アナログスイッチ群１７２６により、最終段の駆動ユニットであるオペアンプ１７２４１、１７２４２、…、１７２４Ｎの電源端１７２４１０、１７２４２０、…、１７２４Ｎ０をバランス素子またはサンプリング素子を介してタッチ励起源１７２３に連通し、１回ごとに１つの最終段の駆動ユニットの電源端のみを、または、１回ごとに複数の最終段の駆動ユニットの電源端を、タッチ信号サンプリング素子１７２５１を介してタッチ励起源１７２３に連通し、残りの最終段の駆動ユニットの電源端を、バランス素子１７２５２を介してタッチ励起源１７２３に連通し、表示ゲート出力回路１７２４は、スクリーンの行電極１７１１及び列電極１７１２の各電極線へ同時にタッチ信号を送信する。タッチ回路１７２５は、タッチ信号サンプリング素子１７２５１におけるタッチ信号の変化を検出することにより、スクリーン１７１０がタッチされたか否か、どの行列電極線の位置がタッチされたかを判定し、スクリーン１７１０はタッチ検出状態になる。検出されたタッチされた行電極線とタッチされた列電極線との交差点から、タッチされたポイントの位置が決定される。
【０１４４】
タッチフラットパネルディスプレイ１７００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【０１４５】
実施形態１８
図１８に示すタッチフラットパネルディスプレイ１８００は、受動スクリーン１８１０と、駆動回路１８２０とを備える。駆動回路１８２０は、制御回路１８２１と、表示駆動エネルギーを供給する表示駆動源１８２２と、タッチ励起エネルギーを供給するタッチ励起源１８２３と、表示ゲート出力回路１８２４と、タッチ回路１８２５と、アナログスイッチ群１８２６からなる表示／タッチ信号ゲート出力回路と、などを備える。アナログスイッチ群１８２６は、多位置単極単投アナログスイッチからなる多位置多極単投アナログスイッチ群である。スクリーン１８１０は、スクリーンの行電極１８１１及び列電極１８１２などを有する。表示駆動源１８２２にはＤＣ電源が使用され、タッチ励起源１８２３には高い（例えば、５０ＫＨｚよりも高い）周波数のＡＣ電源が使用される。表示ゲート出力回路１８２４の最終段の駆動ユニットであるオペアンプ１８２４１、１８２４２、…、１８２４Ｎ、即ち、駆動回路１８２０の最終段の駆動ユニットは、その入力端が前段回路１８２４０に接続され、その出力端がスクリーンの行電極１８１１及び列電極１８１２の各電極線に接続され、その電源端１８２４１０、１８２４２０、…、１８２４Ｎ０がアナログスイッチ群１８２６の各出力端に接続され、アナログスイッチ群１８２６における各スイッチの一方の入力端が表示駆動源１８２２に接続され、アナログスイッチ群１８２６における各スイッチの２番目の入力端がタッチ励起源に接続され、アナログスイッチ群１８２６における各スイッチの３番目の入力端がタッチ信号サンプリング素子１８２５１を介してタッチ励起源に接続されている。タッチ信号サンプリング素子１８２５１のアナログスイッチ群１８２６に接続される一端には検出点が設けられて、タッチ回路１８２５に接続されている。タッチ回路１８２５は検出点における電位の変化を検出し、電位測定の参照端点は、タッチ信号サンプリング素子１８２５１の他方の端点（即ち、タッチ励起源１８２３の出力端）に設けられてもよく、駆動回路１８２０の共通グランド端に設けられてもよく、または、駆動回路１８２０のある特定の参照ポイントに設けられてもよい。制御回路１８２１は、アナログスイッチ群１８２６により、最終段の駆動ユニットであるオペアンプ１８２４１、１８２４２、…、１８２４Ｎの電源端１８２４１０、１８２４２０、…、１８２４Ｎ０を、表示駆動源１８２２に連通して、接続されるスクリーンの行電極１８１１及び列電極１８１２の各電極線へ表示駆動信号を送信したり、タッチ励起源１８２３に連通して、接続されるスクリーンの行電極１８１１及び列電極１８１２の各電極線へタッチ信号を送信したりする。図１８における各本の接続線は、単線による接続だけでなく、複数の線による接続関係も示す。
【０１４６】
前記タッチフラットパネルディスプレイは、以下のように作動する。
【０１４７】
表示駆動の時期では、駆動回路１８２０におけるアナログスイッチ群１８２６は、最終段の駆動ユニットであるオペアンプ１８２４１、１８２４２、…、１８２４Ｎの電源端１８２４１０、１８２４２０、…、１８２４Ｎ０を表示駆動源１８２２に連通し、制御回路１８２１は表示ゲート出力回路１８２４により、接続されるスクリーン電極１８１１及び１８１２へ表示駆動信号を送信し、スクリーン１８１０は表示駆動状態になる。
【０１４８】
タッチ検出の時期では、制御回路１８２１は、アナログスイッチ群１８２６により、最終段の駆動ユニットであるオペアンプ１８２４１、１８２４２、…、１８２４Ｎの電源端１８２４１０、１８２４２０、…、１８２４Ｎ０を直接にまたはサンプリング素子を介してタッチ励起源１８２３に連通し、１回ごとに１つの最終段の駆動ユニットの電源端のみを、または、１回ごとに複数の最終段の駆動ユニットの電源端を、タッチ信号サンプリング素子１８２５１を介してタッチ励起源１８２３に連通し、残りの最終段の駆動ユニットの電源端をタッチ励起源１８２３に直接に連通し、表示ゲート出力回路１８２４は、スクリーンの行電極１８１１及び列電極１８１２の各電極線へ同時にタッチ信号を送信する。タッチ回路１８２５は、タッチ信号サンプリング素子１８２５１におけるタッチ信号の変化を逐次検出することにより、スクリーン１８１０がタッチされたか否か、どの行列電極線の位置がタッチされたかを判定し、スクリーン１８１０はタッチ検出状態になる。検出されたタッチされた行電極線とタッチされた列電極線との交差点から、タッチされたポイントの位置が決定される。
【０１４９】
タッチフラットパネルディスプレイ１８００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【０１５０】
実施形態１９
図１９に示すタッチフラットパネルディスプレイ１９００は、薄膜トランジスタ（ＴＦＴ）能動型スクリーン１９１０と、駆動回路１９２０とを備える。駆動回路１９２０は、制御回路１９２１と、表示駆動エネルギーを供給する表示駆動源１９２２と、タッチ励起エネルギーを供給するタッチ励起源１９２３と、表示ゲート出力回路１９２４と、タッチ回路１９２５と、アナログスイッチ群１９２６及び１９２７からなる表示／タッチ信号ゲート出力回路と、などを備える。アナログスイッチ群１９２６及び１９２７は、多位置単極多投アナログスイッチ群である。スクリーン１９１０は、ＴＦＴアレイの行電極１９１１、列電極１９１２及び共通電極１９１３などを有する。表示ゲート出力回路１９２４の最終段の駆動ユニットであるオペアンプ１９２４１、…、１９２４Ｎ、即ち、駆動回路１９２０の最終段の駆動ユニットは、その入力端が前段回路１９２４０に接続され、その出力端がスクリーンＴＦＴアレイの行電極１９１１と列電極１９１２の各電極線及び共通電極１９１３に接続され、その電源端１９２４１０、…、１９２４Ｎ０が２組に分けられて、それぞれアナログスイッチ群１９２６及び１９２７の各出力端に接続され、アナログスイッチ群１９２６及び１９２７における各スイッチの一方の入力端が表示駆動源１９２２に接続され、アナログスイッチ群１９２６及び１９２７における各スイッチの２番目の入力端がそれぞれタッチ励起源１９２３に接続され、アナログスイッチ群１９２６及び１９２７における各スイッチの３番目の入力端がそれぞれタッチ回路１９２５のタッチ信号サンプリング素子１９２５１及び１９２５２を介してタッチ励起源１９２３に接続されている。タッチ信号サンプリング素子１９２５１及び１９２５２のアナログスイッチ群１９２６及び１９２７に接続される一端には、検出点１９２５１０及び１９２５２０が設けられて、タッチ回路１９２５に接続されている。タッチ回路１９２５は、検出点１９２５１０及び１９２５２０における電位の変化を検出し、電位測定の参照端点は、タッチ信号サンプリング素子１９２５１及び１９２５２の他方の端点（即ち、タッチ励起源１９２３の出力端）に設けられてもよく、駆動回路１９２０の共通グランド端に設けられてもよく、または、駆動回路１９２０のある特定の参照ポイントに設けられてもよい。制御回路１９２１は、アナログスイッチ群１９２６及び１９２７により、最終段の駆動ユニットであるオペアンプ１９２４１、…、１９２４Ｎの電源端１９２４１０、…、１９２４Ｎ０を、表示駆動源１９２２に連通して、接続されるスクリーンの行電極１９１１と列電極１９１２の各電極線及び共通電極１９１３へ表示駆動信号を送信したり、タッチ励起源１９２３に連通して、接続されるスクリーンの行電極１９１１と列電極１９１２の各電極線及び共通電極１９１３へタッチ信号を送信したりする。図１９における各本の接続線は、単線による接続だけでなく、複数の線による接続関係も示す。
前記タッチフラットパネルディスプレイは、以下のように作動する。
【０１５１】
表示駆動の時期では、駆動回路１９２０におけるアナログスイッチ群１９２６及び１９２７は、最終段の駆動ユニットであるオペアンプ１９２４１、１９２４２、…、１９２４Ｎの電源端１９２４１０、１９２４２０、…、１９２４Ｎ０を表示駆動源１９２２に連通し、制御回路１９２１は表示ゲート出力回路１９２４により、接続されるスクリーンの行電極１９１１と列電極１９１２の各電極線及び共通電極１９１３へ表示駆動信号を送信し、スクリーン１９１０は表示駆動状態になる。
【０１５２】
タッチ検出の時期では、制御回路１９２１は、アナログスイッチ群１９２６及び１９２７により、最終段の駆動ユニットであるオペアンプ１９２４１、…、１９２４Ｎの電源端１９２４１０、…、１９２４Ｎ０を、２組に分けてそれぞれ直接にまたはタッチ信号サンプリング素子１９２５１及び１９２５２を介してタッチ励起源に接続し、アナログスイッチ群１９２６及び１９２７は何れも、１回ごとに１組における一部（１つまたは複数）の電源端を、それぞれタッチ信号サンプリング素子１９２５１及び１９２５２を介してタッチ励起源１９２３に連通し、残りの最終段の駆動ユニットの電源端を、直接にタッチ励起源１９２３に連通し、表示ゲート出力回路１９２４は、スクリーンの行電極１９１１と列電極１９１２の各電極線及び共通電極１９１３へ同時にタッチ信号を送信する。タッチ回路１９２５は、逐次に検出点におけるタッチ信号の変化をそれぞれ検出し、スクリーン１９１０の複数の領域に対してタッチ検出を同時に行うことにより、スクリーン１９１０がタッチされたか否か、どの領域がタッチされたか、どの行列電極線の位置がタッチされたかを判定し、スクリーン１９１０はタッチ検出状態になる。検出されたタッチされた行電極線とタッチされた列電極線との交差点から、タッチされたポイントの位置が決定される。
【０１５３】
タッチフラットパネルディスプレイ１９００を表示駆動時期とタッチ検出時期との間に繰り返して切り替えさせ、表示駆動及びタッチ検出の場合にスクリーン電極を時分割多重化して、表示もタッチもできるタッチフラットパネルディスプレイを形成する。
【０１５４】
スクリーンの複数の領域に対してタッチ検出を同時に行うことにより、スクリーン全体に対するタッチ検出に必要な時間を節約することができる。
【０１５５】
以上、具体的な好ましい実施形態と合わせて本発明を更に詳細に説明したが、本発明の具体的な実施がそれらの説明に限定されると思うべきではない。当業者にとっては、本発明の趣旨を逸脱することなく、さらに幾つかの簡単な推理・演繹又は置換を行うことができ、これらは本発明の保護範囲に属すると考えるべきである。
【図１】
2012527663.tif 000003
【図２】
2012527663.tif 000004
【図３】
2012527663.tif 000005
【図４】
2012527663.tif 000006
【図５】
2012527663.tif 000007
【図６】
2012527663.tif 000008
【図７】
2012527663.tif 000009
【図８】
2012527663.tif 000010
【図９】
2012527663.tif 000011
【図１０】
2012527663.tif 000012
【図１１】
2012527663.tif 000013
【図１２】
2012527663.tif 000014
【図１３】
2012527663.tif 000015
【図１４】
2012527663.tif 000016
【図１５】
2012527663.tif 000017
【図１６】
2012527663.tif 000018
【図１７】
2012527663.tif 000019
【図１８】
2012527663.tif 000020
【図１９】
2012527663.tif 000021
【国際調査報告】
2012527663.tif 000022
2012527663.tif 000023
2012527663.tif 000024
2012527663.tif 000025
2012527663.tif 000026
2012527663.tif 000027